(57)【要約】  ワイヤレス通信システムにおける制御チャネルに関連する方法および装置が説明されている。異なるホワイト・スペース帯域は、異なる位置で利用可能であることができる。ワイヤレス端末は、複数の潜在的に利用可能な通信チャネルから制御情報をモニタすることができる。いくつかの異なるチャネルに対応する制御タイム・スロットは、互いからの意図的な時間オフセットである。いくつかの実施形態は、外部のタイミング・リソースに同期される所定の制御スロット・タイミングを実現する。他の実施形態において、ワイヤレス端末は、すでに使用されているチャネルの制御スロット・タイミングの機能として新しいチャネルで制御タイム・スロットを選択する。ワイヤレス端末は、通信情報において使用するための複数の通信チャネルのうちの１つを選択し、選択された通信チャネルで使用されるべき制御タイム・スロットの位置を決定する。ワイヤレス端末は、制御情報を送信および受信するために選択された通信チャネルで制御タイム・スロットを使用する。
2013533695.tif 000002
【特許請求の範囲】
【請求項１】
通信情報において使用するための複数の通信チャネルのうちの１つを選択することと、
前記複数の通信チャネルのうちの前記選択された１つで使用されるべき制御タイム・スロットの位置を決定することと、前記決定された位置は、前記複数の通信チャネルのうちの他の１つで使用される他の制御タイム・スロットの前記位置からオフセットされている、
前記制御タイム・スロットの間、前記複数の通信チャネルのうちの前記選択された１つで送信することおよびモニタすることのうちの少なくとも１つを実行すること
を含む、ワイヤレス端末を動作する方法。
【請求項２】
所定の反復時間期間における各個別の制御タイム・スロットの前記位置と、前記複数の通信チャネルにおける各個別の対応チャネルとの間の所定の関係を示す情報を記憶することをさらに含み、前記情報は、異なるチャネルのための異なる制御タイム・スロットの開始時間を示す、請求項１に記載の方法。
【請求項３】
前記異なるチャネルのうちのいくつかの前記制御タイム・スロットは、部分的にオーバーラップする、請求項２に記載の方法。
【請求項４】
前記制御タイム・スロットは、前記制御タイム・スロットが対応する前記通信チャネルに基づいた所定のパターンに従って、所定の反復時間期間内でホップする、請求項１に記載の方法。
【請求項５】
前記通信チャネルは、ＴＶ周波数帯域である、請求項１に記載の方法。
【請求項６】
前記複数の通信チャネルのうちの前記少なくともいくつかで、すでに使用されている制御タイム・スロットを識別するために、前記複数の通信チャネルのうちの少なくともいくつかをモニタすること、および
ここにおいて、すでに使用されている識別された制御タイム・スロットと異なる制御タイム・スロットを選択することを含む前記複数の通信チャネルのうちの前記選択された１つで使用されるべき制御タイム・スロットの位置を決定すること
をさらに含む、請求項１に記載の方法。
【請求項７】
前記異なるチャネルのうちのいくつかの前記制御タイム・スロットは、部分的にオーバーラップする、請求項６に記載の方法。
【請求項８】
前記複数の通信チャネルのうちの１つにおける制御タイム・スロット間の前記時間は、前記複数の通信チャネルのうちの第１および第２の１つにおける異なる制御タイム・スロットの周期性をもたらす前記複数の通信チャネルの前記第２の１つにおける制御タイム・スロット間の前記時間と異なる、請求項１に記載の方法。
【請求項９】
前記複数の通信チャネルのうちの１つで制御タイム・スロットの前記周期性を決定することと、
前記決定された周期性の機能として前記選択された通信チャネルで制御タイム・スロットのために使用されるべき周期性を選択すること
をさらに含む、請求項１に記載の方法。
【請求項１０】
通信情報において使用するための複数の通信チャネルのうちの１つを選択するための手段と、
前記複数の通信チャネルのうちの前記選択された１つで使用されるべき制御タイム・スロットの位置を決定するための手段と、前記決定された位置は、前記複数の通信チャネルのうちの他の１つで使用される他の制御タイム・スロットの前記位置からオフセットされている、
前記制御タイム・スロットの間、前記複数の通信チャネルのうちの前記選択された１つで送信することおよびモニタすることのうちの少なくとも１つを実行するための手段
を含む、ワイヤレス端末。
【請求項１１】
所定の反復時間期間における各個別の制御タイム・スロットの前記位置と前記複数の通信チャネルにおける各個別の対応チャネルとの間の所定の関係を示す情報を記憶するための手段をさらに含み、前記情報は、異なるチャネルのための異なる制御タイム・スロットの開始時間を示す、請求項１０に記載のワイヤレス端末。
【請求項１２】
前記異なるチャネルのうちのいくつかの前記制御タイム・スロットは、部分的にオーバーラップする、請求項１１に記載のワイヤレス端末。
【請求項１３】
前記制御タイム・スロットは、前記制御タイム・スロットが対応する前記通信チャネルに基づいた所定のパターンに従って、所定の反復時間期間内でホップする、請求項１０に記載のワイヤレス端末。
【請求項１４】
前記通信チャネルは、ＴＶ周波数帯域である、請求項１０に記載のワイヤレス端末。
【請求項１５】
ワイヤレス端末において使用するためのコンピュータ・プログラム製品であって、
少なくとも１つのコンピュータに、通信情報において使用するための複数の通信チャネルのうちの１つを選択させるためのコードと、
前記少なくとも１つのプロセッサに、前記複数の通信チャネルのうちの前記選択された１つで使用されるべき制御タイム・スロットの位置を決定させるためのコードと、前記決定された位置は、前記複数の通信チャネルのうちの他の１つで使用される他の制御タイム・スロットの前記位置からオフセットされている、
前記少なくとも１つのプロセッサに、前記制御タイム・スロットの間、前記複数の通信チャネルのうちの前記選択された１つで送信することおよびモニタすることのうちの少なくとも１つを実行させるためのコード
を含む、非一時的なコンピュータ可読媒体
を含む、コンピュータ・プログラム製品。
【請求項１６】
通信情報において使用するための複数の通信チャネルのうちの１つを選択する、
前記複数の通信チャネルのうちの前記選択された１つで使用されるべき制御タイム・スロットの位置を決定する、前記決定された位置は、前記複数の通信チャネルのうちの他の１つで使用される他の制御タイム・スロットの前記位置からオフセットされている、
前記制御タイム・スロットの間、前記複数の通信チャネルのうちの前記選択された１つで送信することおよびモニタすることのうちの少なくとも１つを実行する
ように構成される少なくとも１つのプロセッサと、
前記少なくとも１つのプロセッサに結合されるメモリと
を含む、ワイヤレス端末。
【請求項１７】
前記少なくとも１つのプロセッサは、所定の反復時間期間における各個別の制御タイム・スロットの前記位置と、前記複数の通信チャネルにおける各個別の対応チャネルとの間の所定の関係を示す情報を記憶するようにさらに構成され、前記情報は、異なるチャネルのための異なる制御タイム・スロットの開始時間を示す、請求項１６に記載のワイヤレス端末。
【請求項１８】
前記異なるチャネルのうちのいくつかの前記制御タイム・スロットは、部分的にオーバーラップする、請求項１７に記載のワイヤレス端末。
【請求項１９】
前記制御タイム・スロットは、前記制御タイム・スロットが対応する前記通信チャネルに基づいた所定のパターンに従って、所定の反復時間期間内でホップする、請求項１６に記載のワイヤレス端末。
【請求項２０】
前記通信チャネルは、ＴＶ周波数帯域である、請求項１６に記載のワイヤレス端末。
【発明の詳細な説明】
【技術分野】
【０００１】
さまざまな実施形態は、ワイヤレス通信に関し、より具体的に、制御チャネルをモニタすること、実現すること、および／または使用することに関連する方法および装置に関する。
【背景技術】
【０００２】
ＦＣＣは、未使用のＴＶ帯域が他の目的のために、たとえば、ローカル・ワイヤレス・ピア・ツー・ピア・ネットワーク（local wireless peer to peer networks）用の通信のために、使用されることを可能にする。異なる位置で、異なる未使用のＴＶ帯域が同時に、たとえば、所定の時間で、使用可能であることができる。特定の位置で、複数の代替の未使用のＴＶ帯域が、使用可能であることができる。特定の位置で、利用可能な帯域は、互いに物理的に連続しない帯域を含むことができる。特定の位置で潜在的に利用可能な帯域の各々のセットを含む全帯域幅は、広大であり得る。いくつかの状況において、不連続性、広大な全帯域幅、および／またはデバイス受信機制限のため、異なる可能なＴＶ帯域の各々で同時に受信することは、ワイヤレス通信デバイスのために実現可能ではない。たとえば、デバイスは、たとえば、複数のばらばらの帯域を含む広帯域幅をモニタすることは、余分な電力および／または処理リソースの使用を要求し得るため、複数のばらばらの帯域を同時にモニタすることはできない。複数のばらばらの帯域を連続的にモニタすることができていることは有益ではあるだろうが、それは受信機制約を仮定すると多くのケースにおいて実用的ではない。しかしながら、それらがばらばらであろうと連続していようと、ワイヤレス通信デバイスが、少なくとも制御情報のために、いくつかの帯域をモニタすることができる場合、これは、たとえば、ローディング、使用中の技術、現在のデバイス等に基づいて、デバイスの帯域選択を決定する能力を促進するであろうことを認識すべきである。
【０００３】
上記の議論に基づいて、デバイスによって複数のチャネルで制御信号の検出を促進する方法における複数のチャネルに対応する制御チャネルを実現し、決定し、選択し、および／または使用するための新しい方法および装置が必要である。
【発明の概要】
【０００４】
ワイヤレス通信システムにおける制御チャネルに関連する方法および装置が説明されている。さまざまな説明された方法および装置は、たとえば、異なる未使用のＴＶ帯域が、ローカル・ピア・ツー・ピア・ネットワーク用の異なる位置で利用可能であることができるように、異なる帯域が異なる位置で利用可能であり得るワイヤレス通信システムにおける使用に適切である。いくつかの実施形態において、ワイヤレス通信デバイスは、時分割多重方法（time multiplexed way）における複数の潜在的に利用可能なＴＶ帯域をモニタする。いくつかの実施形態において、制御チャネル情報は、異なる周波数帯域に対応する時間直交持続時間（time orthogonal duration）において送信される。
【０００５】
いくつかの実施形態において、異なるチャネルに対応する互いの制御タイム・スロットをオフセットする所定の反復タイミング構造（recurring timing structure）が、実現および使用される。さまざまな実施形態において、反復タイミング構造は、たとえば、ＧＰＳタイミングのような、外部のタイミング・ソース（external timing source）に同期される。いくつかの実施形態において、ワイヤレス通信デバイスは、記憶された情報と組み合わせた、および／または受信されたチャネル情報と組み合わせた、受信されたタイミング信号に基づいて複数のチャネルに関する制御スロット・タイミングを獲得する。
【０００６】
いくつかの実施形態において、制御スロット・タイミングは、グローバル・タイミング・ソース（global timing source）へロック（locked）されない。いくつかのそのような実施形態において、新しいチャネルを使用するように意図するワイヤレス通信デバイスは、それらの制御スロット・タイミングの特性を決定するために、すでに使用されている他のチャネルから制御信号をモニタし、１つ以上の他のチャネルに対応する制御スロット・タイミング情報の機能として新しいチャネルのための制御スロット・タイミングを決定する。いくつかのそのような実施形態において、ワイヤレス通信デバイスは、すでに使用されているチャネルに対応する制御タイム・スロットと、新しいチャネルの制御タイム・スロットとの間でのオーバーラップを最小限にする、または防止するために、新しいチャネルのための制御スロット・タイミングを選択する。
【０００７】
いくつかの実施形態に従って、ワイヤレス端末を動作する例示的な方法は、通信情報において使用するための複数の通信チャネルのうちの１つを選択することと、複数の通信チャネルのうちの選択された１つで使用されるべき制御タイム・スロットの位置を決定することを含み、前記決定された位置は、前記複数の通信チャネルのうちの他の１つで使用される他の制御タイム・スロットの位置からオフセットされている。例示的な方法は、前記制御タイム・スロットの間、複数の通信チャネルのうちの前記選択された１つで送信することおよびモニタすることのうちの少なくとも１つを実行することをさらに含む。
【０００８】
いくつかの実施形態に従って、例示的なワイヤレス端末は、通信情報において使用するための複数の通信チャネルのうちの１つを選択する；複数の通信チャネルのうちの選択された１つで使用されるべき制御タイム・スロットの位置を決定する、前記決定された位置は、前記複数の通信チャネルのうちの他の１つで使用される他の制御タイム・スロットの位置からオフセットされている；および前記制御タイム・スロットの間、複数の通信チャネルのうちの前記選択された１つで送信することおよびモニタすることのうちの少なくとも１つを実行するように構成された少なくとも１つのプロセッサを含む。例示的なワイヤレス端末は、前記少なくとも１つのプロセッサに結合されるメモリをさらに含む。
【０００９】
さまざまな実施形態が上記の概要において議論されたが、必ずしもすべての実施形態が同一の特徴を含むことはなく、上記に説明された特徴のいくつかは、必須ではないが、いくつかの実施形態において望ましくあり得る。非常に多くの追加の特徴、実施形態、および、さまざまな実施形態のメリットが、下記の詳細な説明において議論されている。
【図面の簡単な説明】
【００１０】
【図１】図１は、例示的な実施形態に従った、たとえば、ピア・ツー・ピア・ワイヤレス通信システムのような、例示的なワイヤレス通信システムの図面である。
【図２】図２は、さまざまな例示的な実施形態に従って、ワイヤレス端末を動作する例示的な方法を示すフローチャートである。
【図３】図３は、例示的な実施形態に従った例示的なワイヤレス端末である。
【図４】図４は、図３の例示的なワイヤレス端末において使用されることができるモジュールのアセンブリ（assembly）である。
【図５】図５は、さまざまな例示的な実施形態に従って、ワイヤレス端末のために使用されることができる例示的な通信チャネルを示す図面である。
【図６】図６は、例示的な実施形態に従って、図５の通信チャネルの各々に対応する例示的な制御タイム・スロットの無線リンク・リソースを示す図面である。
【図７】図７は、別の例示的な実施形態に従って、図５の通信チャネルの各々に対応する例示的な制御タイム・スロットの無線リンク・リソースを示す図面である。
【図８】図８は、さらに別の例示的な実施形態に従って、図５の通信チャネルの各々に対応する例示的な制御タイム・スロットの無線リンク・リソースを示す図面である。
【図９】図９は、さらに別の例示的な実施形態に従って、図５の通信チャネルの各々に対応する例示的な制御タイム・スロットの無線リンク・リソースを示す図面である。
【図１０】図１０は、さらに別の例示的な実施形態に従って、図５の通信チャネルの各々に対応する例示的な制御タイム・スロットの無線リンク・リソースを示す図面である。
【図１１】図１１は、別の例示的な実施形態に従って、図５の通信チャネルのいくつかに対応する例示的な制御タイム・スロットの無線リンク・リソースを示す図面である。
【図１２】図１２は、異なる位置で、異なるホワイト・スペース・チャネルは、通信のために使用されることが可能であり得ることを示す図面である。
【図１３】図１３は、例示的な実施形態に従って、例示的なワイヤレス通信デバイスが方法を実現する例を示す図１３−１５を含む、図のセット・シーケンス（set sequence）における第１の図面である。
【図１４】図１４は、例示的な実施形態に従って、例示的なワイヤレス通信デバイスが方法を実現する例を示す図１３−１５を含む、図のセット・シーケンスにおける第２の図面である。
【図１５】図１５は、例示的な実施形態に従って、例示的なワイヤレス通信デバイスが方法を実現する例を示す図１３−１５を含む、図のセット・シーケンスにおける第３の図面である。
【図１６】図１６は、例示的な実施形態に従って、ワイヤレス端末が方法を実現する別の例を示す図１６−１８を含む、図のセット・シーケンスにおける第１の図面である。
【図１７】図１７は、例示的な実施形態に従って、ワイヤレス端末が方法を実現する別の例を示す図１６−１８を含む、図のセット・シーケンスにおける第２の図面である。
【図１８】図１８は、例示的な実施形態に従って、ワイヤレス端末が方法を実現する別の例を示す図１６−１８を含む、図のセット・シーケンスにおける第３の図面である。
【図１９】図１９は、時間および帯域ＩＤ（band ID）の機能として専用の時間が制御チャネルのための複数の帯域の各々に割り当てられる例示的な実施形態における例示的なタイミングを示す図面である。
【図２０】図２０は、２つの連続帯域が、共通制御チャネル時間を共有する例示的な実施形態における例示的なタイミングを示す図面である。
【詳細な説明】
【００１１】
図１は、例示的な実施形態に従った、たとえばピア・ツー・ピア通信システムのような、例示的なワイヤレス通信システム１００の図面である。例示的なワイヤレス通信システム１００は、複数のワイヤレス通信デバイス（デバイス１ １０２、デバイス２ １０４、デバイス３ １０６、デバイス４ １０８、デバイス５ １１０、デバイス６ １１２、デバイス７ １１４、デバイス８ １１６、デバイス９ １１８、．．．、デバイスＮ １２０）を含む。たとえば、デバイス７ １１４のような、システム１００におけるワイヤレス通信デバイスのいくつかは、インターネットおよび／または他のネットワーク・ノードへのインターフェース１２２を含む。たとえば、デバイス１ １０２、デバイス２ １０４、デバイス３ １０６、デバイス４ １０８、デバイス５ １１０、デバイス６ １１２、デバイス８ １１６、デバイス９ １１８、およびデバイスＮ １２０のような、システム１００におけるワイヤレス通信デバイスのいくつかは、たとえば、ハンドヘルド・モバイル・デバイスのような、モバイル・ワイヤレス端末である。
【００１２】
たとえば、デバイス１ １０２のような、ワイヤレス通信デバイスは、通信情報において使用するための複数のチャネルのうちの１つを選択し、選択された通信チャネルで使用されるべき制御タイム・スロットの位置を決定する。ワイヤレス通信デバイスは、決定された制御タイム・スロットの間、選択された通信チャネルで送信および／またはモニタする。異なる位置で、たとえば、異なる未使用のＴＶチャネルのような、異なる通信チャネルは、ピア・ツー・ピア通信のために使用可能であることができる。いくつかの実施形態において、少なくともいくつかのワイヤレス通信デバイスについて、ワイヤレス通信デバイスは、たとえば、受信されたＧＰＳ信号を経由して、その位置を直接決定する。いくつかの実施形態において、少なくともいくつかのワイヤレス端末について、たとえば、アクセス・ポイントのような、外部デバイスが、ワイヤレス通信デバイスの位置を決定する。
【００１３】
いくつかの実施形態において、たとえば、反復構造に従って、特定の位置で利用可能なチャネルに対応する制御タイム・スロットは、予め決定されている。いくつかのそのような実施形態において、反復構造は、たとえば、ＧＰＳ信号またはアクセス・ポイントからのタイミング信号のような、外部のタイミング・リファレンスに同期される。いくつかの実施形態において、少なくともいくつかのワイヤレス通信デバイスについて、ワイヤレス通信デバイスは、たとえば、受信されたＧＰＳ信号または受信されたアクセス・ポイントのタイミング信号に同期するように、外部のタイミング・リファレンスに対してタイミングを直接決定する。いくつかの実施形態において、少なくともいくつかのワイヤレス端末について、タイミング情報は、ワイヤレス通信デバイスへ間接的に伝搬される。
【００１４】
いくつかの実施形態において、通信チャネルに対応する制御タイム・スロットは、外部のタイミング・リファレンス信号に同期されない。いくつかのそのような実施形態において、未使用の利用可能な通信チャネルで制御信号を送信する傾向があるワイヤレス通信デバイスは、たとえば、すでに使用されているそれらをオーバーラップしない制御タイム・スロットを選択するように、すでに使用されている他のチャネルで制御タイム・スロットの機能として制御タイム・スロットのためのタイミングおよび／または周期性のためのタイミングを選択する。
【００１５】
いくつかの実施形態において、通信システム１００は、たとえば、アクセス・ノード１ １３０、．．．アクセス・ノードＮ １３４のような、１つ以上のアクセス・ノードを含む。いくつかの実施形態において、アクセス・ノード（アクセス・ノード１ １３０、．．．、アクセス・ノードＮ １３４）は、ネットワーク・リンク（１３２、．．．１３６）を経由してインターネットおよび／または他のネットワーク・ノードに結合される。いくつかの実施形態において、アクセス・ノードは、たとえば、異なる位置でのローカル・ピア・ツー・ピア・ネットワーク・ワイヤレス通信の使用のために利用可能な未使用のＴＶチャネルのような、利用可能なホワイト・スペースに関連する情報を含む中心ノードに、バックホール・ネットワークを経由して結合される。いくつかの実施形態において、アクセス・ノードは、デバイスの位置情報、ある位置に対応するチャネルの利用情報、１つ以上のチャネルに対応する制御スロット・タイミング情報、制御スロットのホッピング情報（hopping information）、およびワイヤレス端末への反復タイミング構造情報、のうちの１つ以上またはすべてを通信する。
【００１６】
図２は、さまざまな実施形態に従って、ワイヤレス端末を動作する例示的な方法を示すフローチャート２００である。ワイヤレス端末は、たとえば、図１のシステム１００のワイヤレス通信デバイスのうちの１つである。ステップ２０４、２０６、２０８、２１０、２１２、２１８、および２２０は、オプションのステップである。オプションのステップ２０４、２０６、２０８、２１０、２１２、２１８、および２２０のうちの１つ以上またはすべては、実施形態に含まれることができる。オプションのステップ２０４、２０６、２０８、２１０、２１２、２１８、および２２０のうちの１つ以上またはすべては、実施形態において省略され得る。オプションのステップが実行されない場合、それは、フローチャート２００のフローにおいてバイパスされる。
【００１７】
ステップ２１０およびステップ２１８のうちの１つ以上を含むことができるステップ２０２、２０４、２０６、２０８、２１４、２１６、および２２２を含む例示的な方法が、ここで説明される。
【００１８】
動作は、ワイヤレス端末の電源がオンとなり、初期化されるステップ２０２から始まる。動作は、ステップ２０２からステップ２０４へ進む。ステップ２０４において、ワイヤレス端末は、反復時間期間における各個別の制御タイム・スロットの位置と、複数の通信チャネルにおける各個別の対応チャネルとの間の所定の関係を示す情報を受信し、前記情報は、異なるチャネルのための異なる制御タイム・スロットの開始時間を示す。いくつかの実施形態において、ワイヤレス端末は、反復時間期間における各個別の制御タイム・スロットの位置と、ワイヤレス通信リンクを経由して複数の通信チャネルにおける各個別の対応チャネルとの間の所定の関係を示す情報を受信する。動作は、ステップ２０４からステップ２０６へ進む。
【００１９】
ステップ２０６において、ワイヤレス端末は、たとえば、リスト（list）のような、反復時間期間における各個別の制御タイム・スロットの位置と、前記複数の通信チャネルにおける各個別の対応チャネルとの間の所定の関係を示す情報を記憶し、前記情報は、異なるチャネルのための異なる制御タイム・スロットの開始時間を示す。いくつかの実施形態において、開始時間は、前記複数の通信チャネルのうちのいずれか１つで使用される最短時間の制御タイム・スロットの持続時間の少なくとも２５％異なる。いくつかの実施形態において、異なるチャネルのうちのいくつかの制御タイム・スロットは、部分的にオーバーラップする。動作は、ステップ２０６からステップ２０８へ進む。
【００２０】
ステップ２０８において、ワイヤレス端末は、前記複数の通信チャネルのうちの少なくともいくつかにおいて、すでに使用されている制御タイム・スロットを識別するために、前記複数の通信チャネルのうちの前記少なくともいくつかをモニタする。いくつかの実施形態において、ステップ２０８は、ワイヤレス端末が第１のチャネルのサブセットにおけるチャネルおよび第２のチャネルのサブセットにおけるチャネルを、同時にモニタするステップ２１０を含み、前記第１および第２のサブセットは、隣接周波数帯域（adjacent frequency bands）に対応し、同一の反復タイム・スロットを使用する。動作は、ステップ２０８からステップ２１４へ進む。
【００２１】
ステップ２１４において、ワイヤレス端末は、通信情報において使用するための複数の通信チャネルのうちの１つを選択する。動作は、ステップ２１４からステップ２１６へ進む。ステップ２１６において、ワイヤレス端末は、複数の通信チャネルのうちの選択された１つで使用されるべき制御タイム・スロットの位置を決定し、前記決定された位置は、前記複数の通信チャネルのうちの他の１つで使用される他の制御タイム・スロットの位置からオフセットされている。いくつかの実施形態において、いくつかの時間の間、ステップ２１６は、ワイヤレス端末がすでに使用されている識別された制御タイム・スロットと異なる制御タイム・スロットを選択するステップ２１８を含む。たとえば、時に、ワイヤレス端末は、たとえば、すでに使用されている通信チャネルで使用されている技術をサポートしないワイヤレス端末のため、および／または、すでに使用されている通信チャネルが高負荷のため、まだ使用されていない利用可能な通信チャネルを使用するためにステップ２１４において選択されることができる。またある時には、ワイヤレス端末は、すでに使用されている通信チャネルを使用するためにステップ２１４において選択されることができ、ステップ２１８は実行されない。ステップ２１８が実行されるいくつかの実施形態において、ワイヤレス端末は、他の通信チャネルにおいて、すでに使用されている他の識別された制御タイム・スロットのうちのいずれかと異なる制御タイム・スロットを選択する。いくつかの実施形態において、異なるチャネルのうちのいくつかの制御タイム・スロットは、部分的にオーバーラップする。動作は、ステップ２１６からステップ２２２へ進む。
【００２２】
ステップ２２２において、ワイヤレス端末は、前記制御タイム・スロットの間、複数の通信チャネルのうちの前記選択された１つで送信することおよびモニタすることのうちの少なくとも１つを実行する。動作は、ステップ２２２からステップ２０８へ進む。
【００２３】
いくつかの実施形態において、制御タイム・スロットは、制御タイム・スロットが対応する通信チャネルに基づいた所定のパターンに従って、所定の反復時間期間内でホップ（hop）する。いくつかの実施形態において、通信チャネルは、ＴＶ周波数帯域である。いくつかの実施形態において、通信チャネルは、ＦＣＣ指定のホワイト・スペース・チャネルである。いくつかの実施形態において、通信チャネルは、ある位置で未使用であり、ＦＣＣ規則に従って、たとえば、ピア・ツー・ピア・ローカル・ネットワーク・ワイヤレス通信のような、通信のために自由に使用されるＴＶ周波数帯域である。
【００２４】
さまざまな実施形態において、前記複数の通信チャネルのうちの１つにおける制御タイム・スロット間の時間は、前記複数の通信チャネルのうちの第１および第２の１つにおける異なる制御タイム・スロットの周期性をもたらす前記複数の通信チャネルのうちの第２の１つにおける制御タイム・スロット間の時間と異なる。
【００２５】
いくつかの実施形態において、複数の通信チャネルは、第１のＴＶチャネルのサブセット、および第１のＴＶチャネルのサブセットにおける同一の制御タイム・スロットを使用する少なくとも１つのチャネルを含む、第２のＴＶチャネルのサブセットである。いくつかのそのような実施形態において、複数の通信チャネルのうちの少なくともいくつかをモニタすることは、第１のサブセットにおけるチャネルおよび第２のサブセットにおけるチャネルを同時にモニタすることを含み、第１および第２のサブセットにおける前記チャネルは、隣接周波数帯域に対応し、同一の制御タイム・スロットを使用する。いくつかの実施形態において、前記複数の通信チャネルは、同一の制御タイム・スロットの間、２つの隣接チャネルの両方をモニタすることを含む複数の通信チャネルのうちの少なくともいくつかをモニタし、同一の制御タイム・スロットを使用する、２つの隣接チャネルを含む。
【００２６】
ステップ２１０を含むことができる、ステップ２０２、２０８、２１２、２１４、２１６、２１８、２２０、および２２２を含む例示的な方法が、ここで説明される。
【００２７】
動作は、ワイヤレス端末の電源がオンになり、初期化されるステップ２０２から始まる。動作は、ステップ２０２からステップ２０８へ進む。
【００２８】
ステップ２０８において、ワイヤレス端末は、前記複数の通信チャネルのうちの少なくともいくつかにおいて、すでに使用されている制御タイム・スロットを識別するために、前記複数の通信チャネルのうちの前記少なくともいくつかをモニタする。いくつかの実施形態において、ステップ２０８は、ワイヤレス端末が第１のチャネルのサブセットにおけるチャネルおよび第２のチャネルのサブセットにおけるチャネルを同時にモニタするステップ２１０を含み、前記第１および第２のサブセットは、隣接周波数帯域に対応し、同一の反復タイム・スロットを使用する。動作は、ステップ２０８からステップ２１２へ進む。
【００２９】
ステップ２１２において、ワイヤレス端末は、たとえば、すでに使用されている制御タイム・スロットのような、前記複数の通信チャネルのうちの１つで制御タイム・スロットの周期性を決定する。動作は、ステップ２１２からステップ２１４へ進む。
【００３０】
ステップ２１４において、ワイヤレス端末は、通信情報において使用するための複数の通信チャネルのうちの１つを選択する。動作は、ステップ２１４からステップ２１６へ進む。ステップ２１６において、ワイヤレス端末は、複数の通信チャネルのうちの選択された１つで使用されるべき制御タイム・スロットの位置を決定し、前記決定された位置は、前記複数の通信チャネルのうちの他の１つで使用される他の制御タイム・スロットの位置からオフセットされている。ステップ２１６は、ワイヤレス端末がすでに使用されている識別された制御タイム・スロットと異なる制御タイム・スロットを選択するステップ２１８を含む。いくつかの実施形態において、ステップ２１８では、ワイヤレス端末は、他の通信チャネルにおいて、すでに使用されている他の識別された制御タイム・スロットのうちのいずれかと異なる制御タイム・スロットを選択する。いくつかの実施形態において、異なるチャネルのうちのいくつかの制御タイム・スロットは、部分的にオーバーラップする。動作は、ステップ２１６からステップ２２０へ進む。
【００３１】
ステップ２２０において、ワイヤレス端末は、ステップ２１２の決定された周期性の機能として複数の通信チャネルのうちの選択された１つで制御タイム・スロットのために使用されるべき周期性を選択する。選択された周期性は、決定された周期性と同一、または異なることがあり得る。動作は、ステップ２２０からステップ２２２へ進む。
【００３２】
ステップ２２２において、ワイヤレス端末は、前記制御タイム・スロットの間、複数の通信チャネルのうちの前記選択された１つで送信することおよびモニタすることのうちの少なくとも１つを実行する。動作は、ステップ２２２からステップ２０４へ進む。
【００３３】
いくつかの実施形態において、通信チャネルは、ＴＶ周波数帯域である。いくつかの実施形態において、通信チャネルは、ＦＣＣ指定のホワイト・スペース・チャネルである。いくつかの実施形態において、通信チャネルは、ある位置で未使用であり、ＦＣＣ規則に従って、たとえば、ピア・ツー・ピア・ローカル・ネットワーク・ワイヤレス通信のような、通信のために自由に使用されるＴＶ周波数帯域である。
【００３４】
さまざまな実施形態において、前記複数の通信チャネルのうちの１つにおける制御タイム・スロット間の前記時間は、前記複数の通信チャネルのうちの第１および第２の１つにおける異なる制御タイム・スロットの周期性をもたらす前記複数の通信チャネルの前記第２の１つにおける制御タイム・スロット間の前記時間と異なる。
【００３５】
いくつかの実施形態において、複数の通信チャネルは、第１のＴＶチャネルのサブセット、および第１のＴＶチャネルのサブセットにおける同一の制御タイム・スロットを使用する少なくとも１つのチャネルを含む、第２のＴＶチャネルのサブセットである。いくつかのそのような実施形態において、複数の通信チャネルのうちの少なくともいくつかをモニタすることは、第１のサブセットにおけるチャネルおよび第２のサブセットにおけるチャネルを同時にモニタすることを含み、第１および第２のサブセットにおける前記チャネルは、隣接周波数帯域に対応し、同一の制御タイム・スロットを使用する。いくつかの実施形態において、前記複数の通信チャネルは、同一の制御タイム・スロットの間、２つの隣接チャネルの両方をモニタすることを含む複数の通信チャネルのうちの少なくともいくつかをモニタし、同一の制御タイム・スロットを使用する、２つの隣接チャネルを含む。
【００３６】
実施形態は、また、ワイヤレス端末が図２のフローチャート２００のステップ２０２、２０４、２０６、２０８、２１０、２１２、２１４、２１６、２１８、２２０、および２２２の各々を実行することにおいて可能である。たとえば、１つの例示的な実施形態において、ワイヤレス端末は、第１の位置でＧＰＳタイミングのような外部のタイミング・ソースに同期されるローカル・ピア・ツー・ピア・ネットワークのための所定の反復タイミング構造を使用し、ステップ２０２、２０４、２０６、２０８、２１４、２１６、および２２２を実現し、また、ステップ２１０および２１８のうちの１つ以上を実現することができる。例を続けていくと、その後ワイヤレス端末は、所定の固定された反復タイミング構造がローカル・ピア・ツー・ピア・ネットワークのために使用されない第２の位置に移動することができ、ワイヤレス端末は、ステップ２０８、２１２、２１４、２１６、２１８、２２０、および２２２を実現し、また、ステップ２１０を実現することができる。
【００３７】
図３は、例示的な実施形態に従った例示的なワイヤレス端末の図面である。例示的なワイヤレス端末３００は、たとえば、図１のワイヤレス通信デバイスのうちの１つである。例示的なワイヤレス端末３００は、図２のフローチャート２００に従って方法を実現することができる、および時に実現する。
【００３８】
ワイヤレス端末３００は、さまざまなエレメント（３０２、３０４）がデータおよび情報を交換することができるバス３０９を経由して、ともに結合されるプロセッサ３０２およびメモリ３０４を含む。ワイヤレス端末３００は、示されるように、プロセッサ３０２に結合されることができる入力モジュール３０６および出力モジュール３０８をさらに含むことができる。しかしながら、いくつかの実施形態において、入力モジュール３０６および出力モジュール３０８は、プロセッサ３０２の内部に位置する。入力モジュール３０６は、入力信号を受信することができる。入力モジュール３０６、およびいくつかの実施形態において、入力を受信するためのワイヤレス受信機および／または、ワイヤードまたは光入力インターフェースを含むことができる。出力モジュール３０８、およびいくつかの実施形態において、出力を送信するためのワイヤレス送信機および／または、ワイヤードまたは光出力インターフェースを含むことができる。
【００３９】
プロセッサ３０２は、通信情報において使用するための複数の通信チャネルのうちの１つを選択する；複数の通信チャネルのうちの選択された１つで使用されるべき制御タイム・スロットの位置を決定する、前記決定された位置は、前記複数の通信チャネルのうちの他の１つで使用される他の制御タイム・スロットの位置からオフセットされている；前記制御タイム・スロットの間、複数の通信チャネルのうちの前記選択された１つで送信することおよびモニタすることのうちの少なくとも１つを実行するように構成される。いくつかの実施形態において、プロセッサ３０２は、所定の反復時間期間における各個別の制御タイム・スロットの位置と、前記複数の通信チャネルにおける各個別の対応チャネルとの間の所定の関係を示す情報を記憶するようにさらに構成され、前記情報は、異なるチャネルのための異なる制御タイム・スロットの開始時間を示す。いくつかのそのような実施形態において、記憶することより先に、記憶された情報、または記憶された情報を引き出すことに使用される情報は、たとえば、ワイヤレス通信リンクを経由して、受信される。
【００４０】
いくつかの実施形態において、開始時間は、前記複数の通信チャネルのうちのいずれか１つで使用される最短時間の制御タイム・スロットの持続時間のうちの少なくとも２５％異なる。さまざまな実施形態において、異なるチャネルのうちのいくつかの制御タイム・スロットは、部分的にオーバーラップする。いくつかの実施形態において、制御タイム・スロットは、制御タイム・スロットが対応する通信チャネルに基づいた所定のパターンに従って、所定の反復時間期間内でホップする。
【００４１】
いくつかの実施形態において、通信チャネルは、ＴＶ周波数帯域である。いくつかの実施形態において、通信チャネルは、ＦＣＣ指定のホワイト・スペース・チャネルである。
【００４２】
いくつかの実施形態において、プロセッサ３０２は、複数の通信チャネルのうちの選択された１つで使用されるべき制御タイム・スロットの位置を決定するように構成されている一部として、前記複数の通信チャネルのうちの前記少なくともいくつかにおいて、すでに使用されている制御タイム・スロットを識別するために前記複数の通信チャネルのうちの少なくともいくつかをモニタする；および、すでに使用されている識別された制御タイム・スロットと異なる制御タイム・スロットを選択するようにさらに構成される。いくつかのそのような実施形態において、プロセッサ３０２は、他の通信チャネルにおいて、すでに使用されている識別された制御タイム・スロットのうちのいずれかと異なる制御タイム・スロットを選択するように構成される。
【００４３】
いくつかの実施形態において、異なるチャネルのうちのいくつかの制御タイム・スロットは、部分的にオーバーラップする。さまざまな実施形態において、前記複数の通信チャネルのうちの１つにおける制御タイム・スロット間の前記時間は、前記複数の通信チャネルのうちの第１および第２の１つにおける異なる制御タイム・スロットの周期性をもたらす前記複数の通信チャネルの前記第２の１つにおける制御タイム・スロット間の前記時間と異なる。
【００４４】
いくつかの実施形態において、プロセッサ３０２は、前記複数の通信チャネルのうちの１つで制御タイム・スロットの周期性を決定する；および、決定された周期性の機能として選択された通信チャネルで制御タイム・スロットのために使用されるべき周期性を選択するようにさらに構成される。選択された通信チャネルで使用されるべき選択された周期性は、同一の周期性、または決定された周期性と異なる周期性であり得る。
【００４５】
いくつかの実施形態において、前記複数の通信チャネルは、第１のＴＶチャネルのサブセットである、および、ここにおいて、第２のＴＶチャネルのサブセットは、第１のＴＶチャネルのサブセットにおけるチャネルと同一の制御タイム・スロットを使用する少なくとも１つのチャネルを含む。従って、いくつかの実施形態において、複数の通信チャネルは、同一の制御タイム・スロットを使用する。
【００４６】
いくつかの実施形態において、前記複数の通信チャネルは、第１のＴＶチャネルのサブセット、第１のＴＶチャネルのサブセットにおけるチャネルと同一の制御タイム・スロットを使用する少なくとも１つのチャネルを含む、第２のＴＶチャネルのサブセットであり、プロセッサ３０２は、複数の通信チャネルのうちの少なくともいくつかをモニタするように構成されている一部として、第１のサブセットにおけるチャネルおよび第２のサブセットにおけるチャネルを同時にモニタするようにさらに構成され、第１および第２のサブセットにおける前記チャネルは、隣接周波数帯域に対応し、同一の制御タイム・スロットを使用する。いくつかの実施形態において、前記複数の通信チャネルは、同一の制御タイム・スロットを使用して２つの隣接ＴＶチャネルを含み、プロセッサ３０２は、２つの隣接チャネルを同時にモニタするようにさらに構成される。
【００４７】
図４は、図３に示されているワイヤレス端末３００において使用されることができる、およびいくつかの実施形態において使用される、モジュールのアセンブリ４００である。アセンブリ４００におけるモジュールは、たとえば、個別回路のような、図３のプロセッサ３０２内のハードウェアにおいて実現されることができる。あるいは、モジュールはソフトウェアにおいて実現されることができ、図３に示されるワイヤレス端末デバイスのメモリ３０４に記憶されることができる。たとえば、コンピュータのような、単一のプロセッサとして図３の実施形態において示されるが、プロセッサ３０２は、たとえば、複数のコンピュータのような、１つ以上のプロセッサとして実現されることができるということを理解すべきである。ソフトウェアにおいて実現される場合、モジュールは、モジュールに対応する機能を実現するために、プロセッサによって実行されるとき、プロセッサ３０２、たとえば、コンピュータ、を構成するコードを含む。いくつかの実施形態において、プロセッサ３０２は、モジュールのアセンブリ４００のモジュールの各々を実現するように構成される。モジュールのアセンブリ４００がメモリ３０４に記憶される実施形態において、メモリ３０４は、たとえば、非一時的なコンピュータ可読媒体のような、コンピュータ可読媒体を含み、たとえば、モジュールごとの個別コードのような、コードを含み、たとえば、プロセッサ３０２のような、少なくとも１つのコンピュータに、モジュールに対応する機能を実現させるコンピュータ・プログラム製品である。
【００４８】
完全にハードウェア・ベース、または完全にソフトウェア・ベースのモジュールが使用されることができる。しかしながら、ソフトウェアおよびハードウェア（たとえば、回路が実装された）モジュールの任意の組み合わせは、機能を実現するために使用されることができるということを理解すべきである。理解されるべきであるように、図４に示されるモジュールは、図２のフローチャート２００の方法に示された、および／または説明された対応ステップの機能を実行するために、プロセッサ３０２のようなワイヤレス端末３００またはエレメントをそこで制御および／または構成する。
【００４９】
モジュールのアセンブリ４００は、通信情報において使用するための複数の通信チャネルのうちの１つを選択するためのモジュール４１４と、複数の通信チャネルのうちの選択された１つで使用されるべきタイム・スロットの位置を決定するためのモジュール４１６と、前記決定された位置は、前記複数の通信チャネルのうちの他の１つで使用される他の制御タイム・スロットの位置からオフセットされている、前記制御タイム・スロットの間、複数の通信チャネルのうちの前記選択された１つで送信することおよびモニタすることのうちの少なくとも１つを実行するためのモジュール４２２を含む。
【００５０】
さまざまな実施形態において、モジュールのアセンブリ４００は、反復時間期間における各個別の制御タイム・スロットの位置と、前記複数の通信チャネルにおける各個別の対応チャネルとの間の所定の関係を示す情報を受信するためのモジュール４０４と、前記情報は、異なるチャネルのための異なる制御タイム・スロットを示す、反復時間期間における各個別の制御タイム・スロットの位置と、前記複数の通信チャネルにおける各個別の対応チャネルとの間の所定の関係を示す情報を記憶するためのモジュール４０６と、前記情報は、異なるチャネルのための異なる制御タイム・スロットを示す、前記複数の通信チャネルのうちの前記少なくともいくつかにおいて、すでに使用されている制御タイム・スロットを識別するために前記複数の通信チャネルのうちの前記少なくともいくつかをモニタするためのモジュール４０８と、たとえば、すでに使用されている制御タイム・スロットのような、前記複数の通信チャネルのうちの１つで制御タイム・スロットの周期性を決定するためのモジュール４１２と、モジュール４１２から決定された周期性の機能として複数の通信チャネルのうちの選択された１つで制御タイム・スロットのために使用されるべき周期性を選択するためのモジュール４２０、のうちの１つ以上またはすべてをさらに含む。いくつかの実施形態において、モジュール４０４は、反復時間期間における各個別の制御タイム・スロットの位置と、ワイヤレス・リンクを経由して前記複数の通信チャネルにおける各個別の対応チャネルとの間の所定の関係を示す情報を受信する。
【００５１】
いくつかの実施形態において、前記複数の通信チャネルのうちの少なくともいくつかをモニタするためのモジュール４０８は、第１のチャネルのサブセットにおけるチャネルおよび第２のチャネルのサブセットにおけるチャネルを同時にモニタするためのモジュール４１０を含み、前記第１および第２のサブセットにおける前記チャネルは、隣接周波数帯域に対応し、同一の反復タイム・スロットを使用する。
【００５２】
いくつかの実施形態において、複数の通信チャネルのうちの選択された１つで使用されるべき制御タイム・スロットの位置を決定するためのモジュール４１６は、すでに使用されている識別された制御タイム・スロットと異なる制御タイム・スロットを選択するためのモジュール４１８を含む。いくつかのそのような実施形態において、モジュール４１８は、他の通信チャネルにおいて、すでに使用されている識別された制御タイム・スロットのうちのいずれかと異なる制御タイム・スロットを選択する。
【００５３】
さまざまな実施形態において、モジュールのアセンブリ４００は、ワイヤレス端末の位置を決定するためのモジュール４３０、たとえば、ＧＰＳモジュール、と、外部のタイミング・リファレンスに同期するためのモジュール４３２、たとえば、タイミング・リファレンスに同期するためのモジュール、たとえば、受信されたＧＰＳ信号または基地局のタイミング信号を経由したグローバル・タイミング・リファレンス、と、チャネル利用情報を受信するためのモジュール４３４、たとえば、利用可能なホワイト・スペース・チャネルのリスト、と、チャネル制御タイム・スロット情報４３６を受信するためのモジュール４３６と、制御タイム・スロットを決定するためのモジュール４３８と、制御タイム・スロット情報を記憶するためのモジュール４４０と、同一の制御タイム・スロットを使用して隣接チャネルをモニタするためにワイヤレス端末を制御するためのモジュール４４２、のうちの１つ以上またはすべてを含む。いくつかの実施形態において、１つ以上の利用可能なチャネルのために、モジュール４３８は、モジュール４３２による同期に基づいた時間およびモジュール４３４によって受信されたチャネルＩＤの機能としてチャネルに対応する制御タイム・スロットを決定する。いくつかの実施形態において、モジュール４３６は、アクセス・ポイントから制御タイム・スロット構造へのアップデートを受信する。いくつかの実施形態において、少なくともいくつかの隣接チャネルは、同一の制御タイム・スロットを使用し、モジュール４４２は、広帯域受信モード（wide band reception mode）において動作するために、時に、同一の制御タイム・スロットを使用して２つの隣接チャネルから制御信号を復旧するために、ワイヤレス端末を制御する。
【００５４】
図５は、さまざまな例示的な実施形態に従って、ＦＣＣ規則および規制に従ってワイヤレス通信のために、たとえば、ローカル・ピア・ツー・ピア・ネットワーク通信のために、使用されることができる例示的な通信チャネル、たとえば、特定の位置での未使用のＴＶチャネル、を示す図面５００である。横軸５０４が時間を表わすのに対して、縦軸５０２は周波数を表わす。この例において、Ｎ通信チャネル（通信チャネル１ ５０６、通信チャネル２ ５０８、通信チャネル３ ５１０、通信チャネル４ ５１２、通信チャネル５ ５１４、通信チャネル６ ５１６、通信チャネル７ ５１８、通信チャネル８ ５２０、．．．、通信チャネルＮ ５２２）がある。
【００５５】
図６は、例示的な実施形態に従って、図５の通信チャネルの各々に対応する制御タイム・スロットの無線リンク・リソースを含む例示的な無線リンク・リソースを示す図面６００である。この例において、所定の反復タイミング構造に従って、通信チャネルの各々に対応する所定の制御タイム・スロットがある。この例において、異なるチャネルに対応する制御タイム・スロットは、オーバーラップしない。
【００５６】
各通信チャネルは、反復タイミング構造内で所定の制御チャネル・タイム・スロットの間に生じる所定の制御チャネル無線リンク・リソースを含む。たとえば、通信チャネル１ ５０６は、チャネル１の制御タイム・スロットの間、たとえば、ピア・ツー・ピア検出信号（peer to peer discovery signals）を含む制御シグナリングを搬送するために使用されるチャネル１の制御無線リンク・リソース６１４およびチャネル１の制御無線リンク・リソース６１６を含む。またある時には、通信チャネルは、たとえば、ピア・ツー・ピア・トラヒック・シグナリングを含む、他の目的のために使用されることができる、および時に使用される。他のチャネル１の無線リンク・リソース６１８、６２０は、ピア・ツー・ピア・トラヒック信号を含む信号を搬送することができる。
【００５７】
この例において、制御タイム・スロットおよび反復タイミング構造は、１秒の間隔（６１０および６１２）によってそれぞれ分けられた連続ＧＰＳ信号（６０２、６０４、６０６）によって示されるように１秒間隔で生じるＧＰＳリファレンス信号に同期される。いくつかの実施形態において、制御タイム・スロットの時間は、たとえば、１０ミリ秒のように、通信チャネルごとに予め決定され、固定される。たとえば、制御無線リンク・リソースごとの持続時間、たとえば、チャネル１の制御無線リンク・リソース６１４は、たとえば、１０ミリ秒である。いくつかの実施形態において、制御タイム・スロットの時間は、特定のチャネルに固定されるが、少なくともいくつかのチャネルと異なるように対応する。いくつかの実施形態において、同一のチャネルは、反復タイミング構造において複数の制御タイム・スロットを有することができ、複数の制御タイム・スロットのいくつかは、異なる持続時間を有することができる。
【００５８】
図７は、別の例示的な実施形態に従って、図５の通信チャネルの各々に対応する例示的な制御タイム・スロットの無線リンク・リソースを示す図面７００である。この例において、所定の反復タイミング構造に従って、通信チャネルの各々に対応する所定の制御タイム・スロットがある。この例において、いくつかのチャネルに対応する制御タイム・スロットは、オーバーラップしている。この例において、周波数領域に隣接した１組のチャネルに対応する制御タイム・スロットは、完全にオーバーラップしている。この特定の実施形態は、２つの隣接チャネルから制御信号をキャプチャするために広帯域構成に単一の受信をセットすることができる、たとえば、ワイヤレス通信デバイスによって、複数の通信チャネルから制御情報を同時にモニタすることを容易にする。
【００５９】
通信チャネル１および通信チャネル２のための制御タイム・スロットは、完全にオーバーラップしている。チャネル１の制御無線リンク・リソース７１４は、チャネル２の制御無線リンク・リソース７１８に配列されるタイミングである。同様に、チャネル１の制御無線リンク・リソース１ ７１６は、チャネル２の制御無線リンク・リソース７２０に配列されるタイミングである。
【００６０】
通信チャネル３および通信チャネル４のための制御タイム・スロットは、完全にオーバーラップしている。チャネル３の制御無線リンク・リソース７２２は、チャネル４の制御無線リンク・リソース７２６に配列されるタイミングである。同様に、チャネル３の制御無線リンク・リソース７２４は、チャネル４の制御無線リンク・リソース７２８に配列されるタイミングである。
【００６１】
通信チャネル５および通信チャネル６のための制御タイム・スロットは、完全にオーバーラップしている。チャネル５の制御無線リンク・リソース７３０は、チャネル６の制御無線リンク・リソース７３４に配列されるタイミングである。同様に、チャネル５の制御無線リンク・リソース７３２は、チャネル６の制御無線リンク・リソース７３６に配列されるタイミングである。
【００６２】
通信チャネル７および通信チャネル８のための制御タイム・スロットは、完全にオーバーラップしている。チャネル７の制御無線リンク・リソース７３８は、チャネル８の制御無線リンク・リソース７４２に配列されるタイミングである。同様に、チャネル７の制御無線リンク・リソース７４０は、チャネル８の制御無線リンク・リソース７４４に配列されるタイミングである。
【００６３】
図８は、さらに別の例示的な実施形態に従って、図５の通信チャネルの各々に対応する例示的な制御タイム・スロットの無線リンク・リソースを示す図面８００である。この例において、所定の反復タイミング構造に従って、通信チャネルの各々に対応する所定の制御タイム・スロットがある。この例において、いくつかのチャネルに対応する制御タイム・スロットは、部分的にオーバーラップしている。いくつかの実施形態において、チャネルに対応する制御タイム・スロットは、異なるチャネルに対応する別の制御タイム・スロットと最大で２５％オーバーラップする。
【００６４】
この例において、通信チャネル１の制御タイム・スロットは、通信チャネル２の制御タイム・スロットと部分的にオーバーラップする。チャネル１の制御無線リンク・リソース８０２は、チャネル２の制御無線リンク・リソース８０６と時間内に部分的にオーバーラップする。同様に、チャネル１の制御無線リンク・リソース８０４は、チャネル２の制御無線リンク・リソース８０８と時間内に部分的にオーバーラップする。他の通信チャネルの制御タイム・スロットの間の部分的なオーバーラップは図８に示されている。
【００６５】
図９は、さらに別の例示的な実施形態に従って、図５の通信チャネルの各々に対応する例示的な制御タイム・スロットの無線リンク・リソースを示す図面９００である。この例において、所定の反復タイミング構造に従って、通信チャネルの各々に対応する所定の制御タイム・スロットがある。この例において、チャネルに対応する制御タイム・スロットは、所定のホッピング・パターン（hopping pattern）に従ってホップされる。
【００６６】
たとえば、チャネル１の制御タイム・スロットが、第２の１秒６１２におけるチャネル１の制御無線リンク・リソース９０４の位置によって示されるように第２の構造のスロットで生じるのに対して、チャネル１の制御タイム・スロットは、第１の１秒６１０におけるチャネル１の制御無線リンク・リソース９０２の位置によって示されるように第１の構造のスロットで生じる。例を続けると、チャネル２の制御タイム・スロットが、第２の１秒６１２におけるチャネル２の制御無線リンク・リソース９０８の位置によって示されるように第１の構造のスロットで生じるのに対して、チャネル２の制御タイム・スロットは、第１の１秒６１０におけるチャネル２の制御無線リンク・リソース９０６の位置によって示されるように第２の構造のスロットで生じる。例を続けると、チャネル３の制御タイム・スロットが、第２の１秒６１２におけるチャネル３の制御無線リンク・リソース９１２の位置によって示されるように第６の構造のスロットで生じるのに対して、チャネル３の制御タイム・スロットは、第１の１秒６１０におけるチャネル３の制御無線リンク・リソース９１０の位置によって示されるように第３の構造のスロットで生じる。図９に示されるように、他のチャネルに対応する制御タイム・スロットは、ホップされる。
【００６７】
図１０は、さらに別の例示的な実施形態に従って、図５の通信チャネルの各々に対応する例示的な制御タイム・スロットの無線リンク・リソースを示す図面１０００である。この例において、所定の反復タイミング構造に従って、通信チャネルの各々に対応する所定の制御タイム・スロットがある。この例において、いくつかのチャネルに対応する制御タイム・スロットは、異なる周期性を有する。
【００６８】
この例において、チャネル２、４、６、および８に対応する制御タイム・スロットが、２秒ごとに１回生じるのに対して、チャネル１、３、５、７、およびＮに対応する制御タイム・スロットは、１秒ごとに１回生じる。
【００６９】
図１１は、別の例示的な実施形態に従って、図５の通信チャネルのいくつかに対応する例示的な制御タイム・スロットの無線リンク・リソースを示す図面１１００である。この例において、所定の反復タイミング構造に従って、通信チャネル（チャネル１´ １１０２、チャネル２´ １１０４、チャネル３´ １１０６、チャネル４´ １１０８、およびチャネルＮ´ １１１０）に対応する所定の制御タイム・スロットがある。この例において、通信チャネル１´ １１０２は、通信チャネル２´ １１０４に隣接する。しかしながら、通信チャネル３´ １１０６は、通信チャネル２´ １１０４または通信チャネル４´ １１０８に隣接しない。この例において、通信チャネル（１１０２、１１０４、１１０６、１１０８、１１１０）は、対象（interest）となる特定の位置でピア・ツー・ピア通信のために利用可能である。しかしながら、他の通信チャネルは、たとえば、これらのチャネルがＴＶ放送のために使用されているため、対象となる特定の位置でピア・ツー・ピア通信のために利用可能ではない。
【００７０】
図１２は、異なる位置で、異なるホワイト・スペース・チャネルが、たとえば、ピア・ツー・ピア通信のような通信のために利用可能であり得ることを示す図面である。例示的な通信システム１００のローカル・ピア・ツー・ピア・ネットワーク領域１ １２０２における図１２００の例において、下記のホワイト・スペース・チャネルが、ピア・ツー・ピア通信のために利用可能である：ブロック１２０６によって示されるような、チャネルＡ、チャネルＦおよびチャネルＧ。例を続けると、例示的な通信システム１００のローカル・ピア・ツー・ピア・ネットワーク領域Ｎ １２０４において、下記のホワイト・スペース・チャネルが、ピア・ツー・ピア通信のために利用可能である：ブロック１２０８によって示されるような、チャネルＢ、チャネルＣ、チャネルＤ、およびチャネルＥ。いくつかの実施形態において、ワイヤレス通信デバイスは、どの通信チャネルが利用可能なチャネルに対応する制御スロット・タイミング情報、および／または、ある位置に対応することが可能か、を示す別のデバイス、たとえば、アクセス・ノード、から情報を受信する。いくつかの実施形態において、ワイヤレス通信デバイスは、たとえば、どの通信チャネルが、ある位置に対応することが可能かをモニタすることに基づいて、それ自身で決定する。いくつかの実施形態において、ワイヤレス通信デバイスは、どのチャネルが、ある位置で利用可能かを決定するために、および／または制御スロット・タイミング情報を決定するために、受信された情報との組み合わせにおけるそのモニタリングからの情報を使用する。
【００７１】
図１３−１５は、たとえば、ＷＴ Ａ１３０２のようなワイヤレス通信デバイスが、例示的な実施形態に従って方法を実現する例を示す。図１３の図面１３００において、例示的なワイヤレス端末Ａ（ＷＴ Ａ）１３０２は、ＧＰＳ衛星（１３０４、１３０６）からＧＰＳ信号（１３０８、１３１０）をそれぞれ受信する。ＷＴ Ａ１３０２は、囲み線１３１２によって示されるように受信されたＧＰＳ信号に基づいてタイム・リファレンスおよびその位置を決定する。ＷＴ Ａ１３０２は、ＷＴ Ａの位置情報１３１８を含む信号１３１６または信号を送信し、ＷＴ Ａはアクセス・ノード１３２２にホワイト・スペース・チャネル情報１３２０を要求する。アクセス・ノード（ＡＮ）１３２２は、ＷＴ Ａの位置に対応するホワイト・スペース・チャネル情報を、たとえば、そのメモリ、ローカル・キャッシュ、または、たとえば、利用可能なホワイト・スペース・チャネルに位置をマッピングするＦＣＣデータベース・ノードのような、遠隔ノードから取り出し、および／または決定する。アクセス・ノード１３２２は、チャネル情報１３２６を含むＷＴ Ａ１３０２に信号、または信号１３２４を生成および送信する。この例において、チャネル情報１３２６は、ピア・ツー・ピア通信および制御チャネル・タイミング情報のために使用されることができる利用可能なチャネルのリストを含む。いくつかの実施形態において、制御チャネル・タイミング情報は、利用可能なチャネルごとに識別する情報を含み、情報は、所定の反復タイミング構造における制御スロットの位置、制御スロットの周期性、制御スロットの持続時間、制御スロットに関連するホッピング情報のうちの１つ以上またはすべてを示す。ＷＴ Ａ１３０２は、チャネル情報１３２６、および囲み線１３２８によって示されるように、たとえば、利用可能なチャネルに対応する制御スロット・タイミング情報のような、制御チャネル・タイミング情報および利用可能なチャネルを示すチャネル情報を記憶する。
【００７２】
いくつかの他の実施形態において、ＷＴ Ａ１３０２は、そのメモリにすでに記憶されている異なる可能なチャネル／位置の組み合わせ、および／または異なる可能なチャネルに対応する制御スロット・タイミング情報を制御し、ＷＴ Ａ１３０２は、利用可能なチャネルに対応する制御スロット・タイミング情報を決定するために、ＡＮ１３２２から利用可能なチャネル情報を受信し、受信された情報の組み合わせ、および、その記憶された情報を使用する。
【００７３】
図１４の図面１４００において、ＷＴ Ａ１３０２は、利用可能なチャネル（チャネルＡ、ＦおよびＧ）に対応する制御スロット時間情報を記憶し、いつ制御チャネル信号のための特定のチャネルをモニタするかを決定するために、受信されたＧＰＳ信号に基づいて、そのタイミング・リファレンスと組み合わせてその情報を使用する。
【００７４】
一例において、チャネルＡ、ＦおよびＧに対応する制御タイム・スロットは、オーバーラップせず、ＧＰＳタイミング信号に同期される。たとえば、チャネルＡ、ＦおよびＧは、図６のタイミング構造における例示的なチャネルのうちの３つに対応することができる。
【００７５】
この例において、ＷＴ Ａ１３０２は、通信チャネルＡの制御タイム・スロットの間、通信チャネルＡをモニタするのと同時に、ＷＴ Ｃ１４０４からＷＴ ＣチャネルＡの制御スロット・ピア検出信号（control slot peer discovery signal）１４０６、およびＷＴ Ｄ１４０８からＷＴ ＤチャネルＡの制御スロット・ピア検出信号１４０８を検出する。ＷＴ Ａ１３０２は、通信チャネルＦの制御タイム・スロットの間、通信チャネルＦをモニタするのと同時に、ＷＴｓ（ＷＴ Ｅ１４１２、ＷＴ Ｆ１４１６、ＷＴ Ｇ１４２０、ＷＴ Ｈ１４２４、ＷＴ Ｉ１４２８、ＷＴ Ｊ１４３２）からピア検出信号（１４１４、１４１８、１４２２、１４２６、１４３０、１４３４）をそれぞれ検出する。ＷＴ Ａ１３０２は、通信チャネルＧの制御タイム・スロットの間、通信チャネルＧをモニタするのと同時に、いずれのピア検出信号も検出しない。
【００７６】
図１４および図１５において、ピア検出信号を表わす矢印の相対位置は、異なる制御タイム・スロットを示すために使用されている。たとえば、中央の所定の位置のチャネルＦの制御タイム・スロットにおいて生じるピア検出信号１４１８に対して、チャネルＡの制御タイム・スロットにおいて生じるピア検出信号１４０６は、一番左の位置に設置される。
【００７７】
図１５の図面１５００において、ＷＴ Ａ１３０２は、囲み線１５０２によって示されるように、通信情報のための通信チャネルＡを使用するように選択する。さまざまな実施形態において、どのチャネルを使用するかの選択は、チャネル・ローディング（channel loading）、チャネル条件、検出された干渉レベル、チャネルにおけるデバイスの数、チャネルにおける空き時間、チャネルで使用されている技術、チャネルで検出された対象となる特定のデバイス、チャネルで検出された対象となる特定のユーザ、チャネルに関連付けられた制御スロットの無線リンク・リソースの量、のうちのすべてまたはより多くのもののうちの１つの機能である。
【００７８】
その後、囲み線１５０４によって示されるように、ＷＴ Ａは、その選択された通信チャネル、チャネルＡに対応する制御タイム・スロットの位置を決定する。ＷＴ Ａは、チャネルＡの制御タイム・スロットの間、チャネルＡを使用してそのピア検出信号１５０６を送信する。いくつかのチャネルＡの制御タイム・スロットの間、ＷＴ Ａは、たとえば、他のデバイスからピア検出信号を検出するために、チャネルＡの制御タイム・スロットをモニタする。さまざまな実施形態において、ＷＴ Ａが送信していないチャネルＡの制御タイム・スロットの一部の間、ＷＴ Ａはモニタする。
【００７９】
一例において、図１３−１５のＷＴ １３０２は、図１のシステム１００のワイヤレス通信デバイスのうちのいずれか１つである。ＷＴ Ａ１３０２は、たとえば、ステップ２０２、２０４、２０６、２０８、２１４、２１６および２２２を含む図２のフローチャート２００に従って方法を実現する図３のＷＴ３００である。
【００８０】
図１６−１８は、ワイヤレス端末ＷＴ Ａ１６０２が例示的な実施形態に従って方法を実現する別の例を示す。この例において、図１６の表１６０４によって示されるように、チャネル１および３は、ＴＶ信号をブロードキャストするために、この位置で使用されており、チャネル２、４、および５は、この位置で利用可能なホワイト・スペース・チャネルである５つのＴＶチャネル（チャネル１、チャネル２、チャネル３、チャネル４、およびチャネル５）があるということを考慮する。
【００８１】
図１６の図面１６００に示されるＷＴ Ａ１６０２は、ブロック１６０６によって示されるように、チャネル（１、２、３、４、および５）の各々をモニタする。ＷＴ Ａ１６０２は、チャネル１のチャネル１ ＴＶ局１６１０からＣＨ１ ＴＶブロードキャスト信号１６０８を検出する。ＷＴ Ａ１６０２は、チャネル２をモニタする間、ＷＴｓ（ＷＴ Ｃ１６１６、ＷＴ Ｄ１６１８）からチャネル２の制御スロット・ピア検出信号（１６１２、１６１４）をそれぞれ検出する。ＷＴ Ａ１６０２は、チャネル３のチャネル３ ＴＶ局１６２２からＣＨ３ ＴＶブロードキャスト信号１６２０を検出する。ＷＴ Ａ１６０２は、チャネル４をモニタする間、ＷＴｓ（ＷＴ Ｅ１６３６、ＷＴ Ｆ１６３８、ＷＴ Ｇ１６４０、ＷＴ Ｈ１６４２、ＷＴ Ｉ１６４４、ＷＴ Ｊ１６４６）からチャネル４の制御スロット・ピア検出信号（１６２４、１６２６、１６２８、１６３０、１６３２、１６３４）をそれぞれ検出する。ＷＴ Ａ１６０２は、チャネル５をモニタする間、ＴＶ信号またはピア検出信号のいずれも検出しない。
【００８２】
ブロック１６４８によって示されるように、モニタすることから検出された情報に基づいて、ＷＴ Ａ１６０２は、ＣＨ１、ＣＨ４、およびＣＨ５がピア・ツー・ピア通信のために利用可能であり、チャネル１およびチャネル４は、現在使用中であるということを決定する。ブロック１６５０によって示されるように、たとえば、受信されたピア検出信号のような、受信されたシグナリングに基づいて、ＷＴ Ａ１６０２は、チャネル１およびチャネル４の制御スロット・タイミング情報を決定する。この例において、ＷＴ Ａ１６０２は、ブロック１６５２によって示されるように、ＣＨ５を使用するように選択する。たとえば、検出された信号に基づいて、ＷＴ Ａ１６０２は、ピア・ツー・ピア・ネットワークがＷＴ Ａによってサポートされない技術を使用してチャネル１およびチャネル４で現在動作しているということを決定したと考慮する。別のシナリオとして、チャネル１におけるピア・ツー・ピア・ネットワークは、ＷＴ Ａ１６０２によってサポートされない技術を使用し、チャネル４が現在非常に高負荷であると考慮する。
【００８３】
ブロック１６５４によって示されるように、ＷＴ Ａ１６０２は、チャネル１および／またはチャネル４から決定された制御スロット・タイミングの機能としてチャネル５のための制御スロット・タイミングを選択する。
【００８４】
図１７の図面１７００において、ワイヤレス端末Ａ １６０２は、チャネル１の制御スロットの間、チャネル１でそのピア検出信号１７０２を送信する。他のデバイスは、たとえば、図１６に関して以前に示され、説明されたように、適切な時間で、たとえば、それが使用しているチャネルに対応する制御タイム・スロットにおいて、それらのピア検出信号を送信し続ける。
【００８５】
図１８の図面１８００は、縦軸１８０２において周波数を示すのに対して横軸１８０４では時間を示す。５つの例示的なチャネル（チャネル１ １８０６、チャネル２ １８０８、チャネル １８１０、チャネル４ １８１２、チャネル５ １８１４）が示されている。図面１８００は、ＷＴ Ａ１６０２が図１６に対応するチャネルをモニタする場合、条件を示す。チャネル１ １８０６は、ＴＶシグナリングのために使用されている。チャネル２は、ピア・ツー・ピア・ネットワークのために使用されており、検出されたピア検出信号から識別される対応チャネル２の制御タイム・スロットの無線リンク・リソース（１８１６、１８１８、１８２０、１８２２）を備えたチャネル２の制御タイム・スロットを含む。チャネル３ １８１０は、ＴＶシグナリングのために使用されている。チャネル４は、ピア・ツー・ピア・ネットワークのために使用されており、検出されたピア検出信号から識別される対応チャネル４の制御タイム・スロットの無線リンク・リソース（１８２４、１８２６）を備えたチャネル４の制御タイム・スロットを含む。チャネル５ １８１４は、ピア・ツー・ピア・通信のために利用可能であり、未使用である。受信された制御タイム・スロット信号、たとえば、検出されたピア検出信号、に基づいて、ＷＴ Ａ１６０２は、チャネル２およびチャネル４のための制御タイム・スロット、およびチャネルごとの制御タイム・スロットの周期性を決定する。
【００８６】
図１８の図面１８５０は、図１７に示されるように、ＷＴ Ａ１６０２がチャネル５を使用するように選択した後、チャネル５の制御タイミング・スロットにおいてそのピア検出信号を送信するシナリオを示す。縦軸１８０２が周波数を表わし、横軸１８５４は時間を表わす。この例において、ＷＴ Ａ１６０２は、チャネル５の制御タイム・スロットがチャネル２およびチャネル４の制御タイム・スロットとオーバーラップしていないため、チャネル５のための制御スロット・タイミングを選択し、チャネル２と同一の周期性を使用するように選択した。チャネル５の制御タイム・スロットの間、チャネル５の制御スロットの無線リンク・リソース（１８５６、１８５８、１８６０、１８６２）が生じる。
【００８７】
一例において、図１６−１８のＷＴ １６０２は、図１のシステム１００のワイヤレス通信デバイス１００のうちのいずれか１つである。ＷＴ Ａ１６０２は、たとえば、ステップ２０２、２０８、２１２、２１４、２１６、２１８、２２０および２２２を含む図２のフローチャート２００に従って、方法を実現する図３のＷＴ３００である。
【００８８】
必ずしもすべての実施形態ではないが、さまざまな特徴および／または態様のいくつかが、下記に説明されている。さまざまな実施形態において、方法および／または装置は、ホワイト・スペース・デバイスによってモニタすることを促進するために、さまざまなチャネルに時間直交する（time orthogonalizing）ためのソリューション、たとえば、ある位置における未使用のＴＶ帯域、たとえば、異なるＴＶ帯域における制御チャネル、を提供する。そのような制御チャネルの例は、
・Ｗｉ−Ｆｉのアクセス・ポイント、またはＷＡＮ基地局のブロードキャストチャネル；
・ピア・ツー・ピア・システムにおけるピア検出チャネル；
・一次信号検出のための沈黙期間（silence period）である。
【００８９】
さまざまな実施形態に従って、２つの例示的なアプローチが下記に説明されている。
【００９０】
第１のアプローチは、たとえば、デバイスがＧＰＳタイミング信号のようなグローバル・タイミング・ソース（global timing source）に同期されるような、グローバル同期を使用する。いくつかのそのような実施形態において、ＴＶ帯域ごとの専用の時間は、ＴＶ帯域ＩＤおよびグローバル時間の機能として制御チャネルに割り当てられる。図１９の図面１９００は、ＧＰＳ信号から直接、またはＣＤＭＡ基地局を通して、のいずれかで引き出すことができるグローバルＧＰＳ時間（global GPS time）にリンクされるそのような割当ての１つを示す。この例において、３０チャネル存在し、各チャネルは、他のチャネルとオーバーラップしていない制御チャネル・タイム・スロットを有する。いくつかの実施形態において、制御タイム・スロットの周波数割り当て、および／または持続時間が固定される。図１９の例において、制御タイム・スロットは、固定された持続時間、１０ミリセカンド、を有し、チャネルごとに毎秒１制御タイム・スロットの周波数によって生じる。いくつかの実施形態において、制御タイム・スロットの周波数割り当て、および／または持続時間は、たとえば、遅いタイム・スケール（slow time scale）を介して、たとえば、集中制御装置（centralized controller）を使用して、アップデートされる。いくつかの実施形態において、集中制御装置は、ＦＣＣデータベースを含む、またはＦＣＣデータベースに結合されるデバイスである。
【００９１】
第２のアプローチは、ＴＶ帯域ごとの周波数、および／または制御チャネル持続時間で決定するための分散方法（distributed method）を使用する。このアプローチにおいて、デバイスは、グローバル・タイミング・リファレンスに同期される必要がなく、同期されることもできない。前記方法は、所与の帯域のための周波数および／または制御チャネル持続時間で決定する前に、潜在的に利用可能なＴＶ帯域の各々をモニタすることを含む。たとえば、現在未使用であり、利用可能であると決定した帯域３を使用することを望むデバイスを考慮すると、デバイスは、他のデバイスの制御チャネル送信について他の利用可能な帯域をモニタする。それは、帯域３以外の帯域ごとに、他のデバイスによる送信周波数および持続時間、制御チャネル時間の位置の決定を行うだろう。その後、それは、他のチャネルからモニタされた情報の機能として帯域３のための送信周波数および送信時間の位置を決定するだろう。いくつかの実施形態において、デバイスは、異なるＴＶ帯域を使用して、他のデバイス、たとえば、他のコグニティブ・デバイス、と制御チャネル時間とのオーバーラップを最小限にするために、帯域３の制御チャネルのために使用するための時間および位置を決定する。
【００９２】
いくつかの実施形態において、２つ以上の連続するチャネルは、連続するチャネルの同時モニタリングが実行可能および有利であり得るので、制御チャネル持続時間を共有することができる、および時に共有する。図２０の図面２０００は、例示的な実施形態に従って、２つの連続した帯域が共通の制御チャネル時間を共有する、第１のアプローチに対応する例を示す。図２０の例において、帯域１および２は、共通の制御チャネル・タイム・スロットを共有する隣接帯域であり、帯域３および４は、共通の制御タイム・スロットを共有する隣接帯域であり、．．．．．、および、帯域２９および３０は、共通の制御タイム・スロットを共有する隣接帯域である。
【００９３】
いくつかの実施形態において、第２のアプローチを用いることにより、複数の連続帯域は、共通の制御チャネル持続時間を共有することができる、および時に共有する。たとえば、いくつかの実施形態において、２つの隣接帯域は、同一の制御タイム・スロットを使用することができる、および時に使用する。
【００９４】
さまざまな実施形態において、たとえば、図３のワイヤレス端末３００のような、ワイヤレス端末は、本願の図のいずれかに関して説明される、および／または本願の詳細な説明において説明される個別のステップ、および／または動作の各々に対応するモジュールを含む。モジュールは、ハードウェアにおいて実現されることができる、および時に実現される。他の実施形態において、モジュールは、デバイスに対応するステップまたは動作を実現させる通信デバイスのプロセッサによって実行される場合、プロセッサの実行可能な命令を含むソフトウェア・モジュールとして実現されることができる、および時に実現される。依然として他の実施形態において、モジュールのうちのいくつか、またはすべては、ハードウェアおよびソフトウェアの組み合わせとして実現される。
【００９５】
さまざまな実施形態の技術は、ソフトウェア、ハードウェア、および／または、ソフトウェアとハードウェアの組合せを使用して実現されることができる。さまざまな実施形態は、たとえば、モバイル端末、基地局、通信システムのようなモバイル・ノードのような装置に向けられる。さまざまな実施形態は、また、たとえば、モバイル・ノード、基地局、および／または、たとえば、ホストのような通信システムの制御および／または動作する方法、のような方法に向けられる。さまざまな実施形態は、また、たとえば、コンピュータ、たとえば、ＲＯＭ、ＲＡＭ、ＣＤｓ、ハードディスク等のような可読媒体のような機械に向けられ、それは、方法の１つ以上のステップを実現するために機械を制御するための機械可読命令を含む。コンピュータ可読媒体は、たとえば、非一時的なコンピュータ可読媒体である。
【００９６】
開示された処理におけるステップの具体的な順序または階層は、例示的なアプローチの例であることが理解される。設計選択に基づいて、処理におけるステップの具体的な順序または階層は、本開示の範囲内であることを保ちながら、再構成されることができるということが理解される。添付の方法の請求項は、さまざまなステップのエレメントを、サンプルの順序で示しており、示された具体的な順序または階層に限定されないことが意味される。
【００９７】
さまざまな実施形態において、ここに説明されるノードは、たとえば、信号処理、信号生成、および／または送信ステップのような、１つ以上の方法に対応するステップを実行するために１つ以上のモジュールを使用して実現される。従って、いくつかの実施形態において、さまざまな特徴は、モジュールを使用して実現される。そのようなモジュールは、ソフトウェア、ハードウェア、または、ソフトウェアとハードウェアの組合せを使用して実現されることができる。上記に説明される方法または方法のステップの多くは、たとえば、１つ以上のノードのような上記に説明された方法のすべて、または一部を実現するために、たとえば、追加のハードウェアを備えた、または、なしの汎用コンピュータのような機械を制御するために、たとえば、ＲＡＭ、フロッピー（登録商標）ディスク、等のメモリ・デバイスのような機械可読媒体に含まれるソフトウェアのような機械の実行可能な命令を使用して実現されることができる。従って、特に、さまざまな実施形態は、たとえば、プロセッサおよび関連したハードウェアのような、機械に（単数または複数の）上記に説明された方法のステップの１つ以上を実行させるための機械実行可能な命令を含む、たとえば、非一時的なコンピュータ可読媒体のような、機械可読媒体に向けられる。さまざまな実施形態は、発明の１つ以上の方法のステップのうちの１つ、複数、またはすべてを実現するように構成されるプロセッサを含む、たとえば、通信ノードのような、デバイスに向けられる。
【００９８】
いくつかの実施形態において、たとえば、アクセス・ノードおよび／またはワイヤレス端末のような通信ノードのような、１つ以上のデバイスのうちの、たとえば、ＣＰＵｓのような、プロセッサまたは複数のプロセッサは、通信ノードによって実行されているように説明される方法のステップを実行するように構成される。プロセッサの構成は、プロセッサの構成を制御するために、たとえば、ソフトウェア・モジュールのような、１つ以上のモジュールを使用することによって、および／または、再び引用されたステップおよび／または制御プロセッサの構成を実行するために、たとえば、ハードウェア・モジュールのような、プロセッサにおけるハードウェアを含むことによって、獲得されることができる。従って、すべてではないが、いくつかの実施形態は、プロセッサが含まれるデバイスによって実行されるさまざまな説明された方法のステップの各々に対応するモジュールを含むプロセッサを備えた、たとえば、通信ノードのような、デバイスに向けられる。すべてではないが、いくつかの実施形態において、たとえば、通信ノードのような、デバイスは、プロセッサが含まれるデバイスによって実行されるさまざまな説明された方法のステップの各々に対応するモジュールを含む。モジュールは、ソフトウェアおよび／またはハードウェアを使用して実現されることができる。
【００９９】
さまざまな実施形態は、コンピュータまたは複数のコンピュータに、たとえば、上記に説明された１つ以上のステップのような、さまざまな機能、ステップ、行為および／または動作を実現させるためのコードを含む、たとえば、非一時的なコンピュータ可読媒体のような、コンピュータ可読媒体を含むコンピュータ・プログラム製品に向けられる。実施形態次第で、コンピュータ・プログラム製品は、実行されるべきステップごとに異なるコードを含むことができ、時に、含む。従って、コンピュータ・プログラム製品は、たとえば、通信デバイスまたはノードを制御する方法のような、方法の個別のステップごとのコードを含むことができ、時に、含む。コードは、たとえば、コンピュータ、たとえば、ＲＡＭ（ランダム・アクセス・メモリ）、ＲＯＭ（読み出し専用メモリ）、または他のタイプの記憶デバイスのような、非一時的なコンピュータ可読媒体のような、コンピュータ可読媒体に記憶される実行可能な命令、のような機械の形態であることができる。コンピュータ・プログラム製品に向けられていることに加えて、いくつかの実施形態は、さまざまな機能、ステップ、行為、および／または上記に説明される１つ以上の方法の動作のうちの１つ以上を実現するように構成されるプロセッサに向けられる。従って、いくつかの実施形態は、ここに説明される方法のステップのうちのいくつかまたはすべてを実現するように構成される、たとえば、ＣＰＵのような、プロセッサに向けられる。プロセッサは、たとえば、本願に説明される通信デバイスまたは他のデバイスにおいて使用するためであることができる。
【０１００】
ＯＦＤＭシステムの文脈において説明される間、さまざまな実施形態の方法および装置の少なくとも１つは、多くの非ＯＦＤＭおよび／または非セルラー・システムを含む通信システムの広範囲に適応可能である。
【０１０１】
上記に説明されたさまざまな実施形態の方法および装置における非常に多くの追加バリエーションは、上記の説明を考慮して当業者に明らかであるだろう。そのようなバリエーションは、範囲内で考慮されるべきである。方法および装置、およびさまざまな実施形態において、通信デバイスの間のワイヤレス通信リンクを提供するために使用されることができるＣＤＭＡ、直交周波数多重（ＯＦＤＭ）、および／またはさまざまな他のタイプの通信技術で使用される。さまざまな実施形態において、１つ以上の通信デバイスは、ＯＦＤＭおよび／またはＣＤＭＡを使用してモバイル・ノードで通信リンクを確立するアクセス・ポイントとして実現され、および／または、ワイヤードまたはワイヤレス通信リンクを経由してインターネットまたは別のネットワークへの接続を提供することができる。さまざまな実施形態において、方法を実現するための、受信機／送信機回路および論理および／またはルーチンを含むノートブック・コンピュータ、携帯情報端末（ＰＤＡｓ）、または他のポータブル・デバイスとして実現される。
【図１】
2013533695.tif 000003
【図２】
2013533695.tif 000004
【図３】
2013533695.tif 000005
【図４】
2013533695.tif 000006
【図５】
2013533695.tif 000007
【図６】
2013533695.tif 000008
【図７】
2013533695.tif 000009
【図８】
2013533695.tif 000010
【図９】
2013533695.tif 000011
【図１０】
2013533695.tif 000012
【図１１】
2013533695.tif 000013
【図１２】
2013533695.tif 000014
【図１３】
2013533695.tif 000015
【図１４】
2013533695.tif 000016
【図１５】
2013533695.tif 000017
【図１６】
2013533695.tif 000018
【図１７】
2013533695.tif 000019
【図１８】
2013533695.tif 000020
【図１９】
2013533695.tif 000021
【図２０】
2013533695.tif 000022
【手続補正書】
【提出日】平成25年2月18日(2013.2.18)
【手続補正１】
【補正対象書類名】特許請求の範囲
【補正対象項目名】全文
【補正方法】変更
【補正の内容】
【特許請求の範囲】
【請求項１】
複数の通信チャネルのうちの少なくともいくつかで、すでに使用されている制御タイム・スロットを識別するために、前記複数の通信チャネルのうちの前記少なくともいくつかをモニタすることと、
通信情報において使用するための前記複数の通信チャネルのうちの１つを選択することと、
前記複数の通信チャネルのうちの前記選択された１つで使用されるべき制御タイム・スロットの位置を決定することと、前記決定された位置は、前記複数の通信チャネルのうちの他の１つで使用される他の制御タイム・スロットの前記位置からオフセットされている、
前記制御タイム・スロットの間、前記複数の通信チャネルのうちの前記選択された１つで送信することおよびモニタすることのうちの少なくとも１つを実行すること
を含む、ワイヤレス端末を動作する方法。
【請求項２】
所定の反復時間期間における各個別の制御タイム・スロットの前記位置と、前記複数の通信チャネルにおける各個別の対応チャネルとの間の所定の関係を示す情報を記憶することをさらに含み、前記情報は、異なるチャネルのための異なる制御タイム・スロットの開始時間を示す、請求項１に記載の方法。
【請求項３】
前記異なるチャネルのうちのいくつかの前記制御タイム・スロットは、部分的にオーバーラップする、請求項２に記載の方法。
【請求項４】
前記制御タイム・スロットは、前記制御タイム・スロットが対応する前記通信チャネルに基づいた所定のパターンに従って、所定の反復時間期間内でホップする、請求項１に記載の方法。
【請求項５】
前記通信チャネルは、ＴＶ周波数帯域である、請求項１に記載の方法。
【請求項６】
すでに使用されている識別された制御タイム・スロットと異なる制御タイム・スロットを選択することを含む前記複数の通信チャネルのうちの前記選択された１つで使用されるべき制御タイム・スロットの位置を決定する、請求項１に記載の方法。
【請求項７】
前記異なるチャネルのうちのいくつかの前記制御タイム・スロットは、部分的にオーバーラップする、請求項６に記載の方法。
【請求項８】
前記複数の通信チャネルのうちの１つにおける制御タイム・スロット間の前記時間は、前記複数の通信チャネルのうちの第１および第２の１つにおける異なる制御タイム・スロットの周期性をもたらす前記複数の通信チャネルの前記第２の１つにおける制御タイム・スロット間の前記時間と異なる、請求項１に記載の方法。
【請求項９】
前記複数の通信チャネルのうちの１つで制御タイム・スロットの前記周期性を決定することと、
前記決定された周期性の機能として前記選択された通信チャネルで制御タイム・スロットのために使用されるべき周期性を選択すること
をさらに含む、請求項１に記載の方法。
【請求項１０】
複数の通信チャネルのうちの少なくともいくつかで、すでに使用されている制御タイム・スロットを識別するために、前記複数の通信チャネルのうちの前記少なくともいくつかをモニタするための手段と、
通信情報において使用するための前記複数の通信チャネルのうちの１つを選択するための手段と、
前記複数の通信チャネルのうちの前記選択された１つで使用されるべき制御タイム・スロットの位置を決定するための手段と、前記決定された位置は、前記複数の通信チャネルのうちの他の１つで使用される他の制御タイム・スロットの前記位置からオフセットされている、
前記制御タイム・スロットの間、前記複数の通信チャネルのうちの前記選択された１つで送信することおよびモニタすることのうちの少なくとも１つを実行するための手段
を含む、ワイヤレス端末。
【請求項１１】
所定の反復時間期間における各個別の制御タイム・スロットの前記位置と、前記複数の通信チャネルにおける各個別の対応チャネルとの間の所定の関係を示す情報を記憶するための手段をさらに含み、前記情報は、異なるチャネルのための異なる制御タイム・スロットの開始時間を示す、請求項１０に記載のワイヤレス端末。
【請求項１２】
前記異なるチャネルのうちのいくつかの前記制御タイム・スロットは、部分的にオーバーラップする、請求項１１に記載のワイヤレス端末。
【請求項１３】
前記制御タイム・スロットは、前記制御タイム・スロットが対応する前記通信チャネルに基づいた所定のパターンに従って、所定の反復時間期間内でホップする、請求項１０に記載のワイヤレス端末。
【請求項１４】
前記通信チャネルは、ＴＶ周波数帯域である、請求項１０に記載のワイヤレス端末。
【請求項１５】
ワイヤレス端末において使用するためのコンピュータ・プログラム製品であって、
少なくとも１つのコンピュータに、複数の通信チャネルのうちの少なくともいくつかで、すでに使用されている制御タイム・スロットを識別するために、前記複数の通信チャネルのうちの前記少なくともいくつかをモニタさせるためのコードと、
少なくとも１つのコンピュータに、通信情報において使用するための前記複数の通信チャネルのうちの１つを選択させるためのコードと、
前記少なくとも１つのプロセッサに、前記複数の通信チャネルのうちの前記選択された１つで使用されるべき制御タイム・スロットの位置を決定させるためのコードと、前記決定された位置は、前記複数の通信チャネルのうちの他の１つで使用される他の制御タイム・スロットの前記位置からオフセットされている、
前記少なくとも１つのプロセッサに、前記制御タイム・スロットの間、前記複数の通信チャネルのうちの前記選択された１つで送信することおよびモニタすることのうちの少なくとも１つを実行させるためのコード
を含む、非一時的なコンピュータ可読媒体
を含む、コンピュータ・プログラム製品。
【請求項１６】
複数の通信チャネルのうちの少なくともいくつかで、すでに使用されている制御タイム・スロットを識別するために、前記複数の通信チャネルのうちの前記少なくともいくつかをモニタする
通信情報において使用するための前記複数の通信チャネルのうちの１つを選択する、
前記複数の通信チャネルのうちの前記選択された１つで使用されるべき制御タイム・スロットの位置を決定する、前記決定された位置は、前記複数の通信チャネルのうちの他の１つで使用される他の制御タイム・スロットの前記位置からオフセットされている、
前記制御タイム・スロットの間、前記複数の通信チャネルのうちの前記選択された１つで送信することおよびモニタすることのうちの少なくとも１つを実行する
ように構成される少なくとも１つのプロセッサと、
前記少なくとも１つのプロセッサに結合されるメモリと
を含む、ワイヤレス端末。
【請求項１７】
前記少なくとも１つのプロセッサは、所定の反復時間期間における各個別の制御タイム・スロットの前記位置と、前記複数の通信チャネルにおける各個別の対応チャネルとの間の所定の関係を示す情報を記憶するようにさらに構成され、前記情報は、異なるチャネルのための異なる制御タイム・スロットの開始時間を示す、請求項１６に記載のワイヤレス端末。
【請求項１８】
前記異なるチャネルのうちのいくつかの前記制御タイム・スロットは、部分的にオーバーラップする、請求項１７に記載のワイヤレス端末。
【請求項１９】
前記制御タイム・スロットは、前記制御タイム・スロットが対応する前記通信チャネルに基づいた所定のパターンに従って、所定の反復時間期間内でホップする、請求項１６に記載のワイヤレス端末。
【請求項２０】
前記通信チャネルは、ＴＶ周波数帯域である、請求項１６に記載のワイヤレス端末。
【手続補正２】
【補正対象書類名】明細書
【補正対象項目名】０１０１
【補正方法】変更
【補正の内容】
【０１０１】
上記に説明されたさまざまな実施形態の方法および装置における非常に多くの追加バリエーションは、上記の説明を考慮して当業者に明らかであるだろう。そのようなバリエーションは、範囲内で考慮されるべきである。方法および装置、およびさまざまな実施形態において、通信デバイスの間のワイヤレス通信リンクを提供するために使用されることができるＣＤＭＡ、直交周波数多重（ＯＦＤＭ）、および／またはさまざまな他のタイプの通信技術で使用される。さまざまな実施形態において、１つ以上の通信デバイスは、ＯＦＤＭおよび／またはＣＤＭＡを使用してモバイル・ノードで通信リンクを確立するアクセス・ポイントとして実現され、および／または、ワイヤードまたはワイヤレス通信リンクを経由してインターネットまたは別のネットワークへの接続を提供することができる。さまざまな実施形態において、方法を実現するための、受信機／送信機回路および論理および／またはルーチンを含むノートブック・コンピュータ、携帯情報端末（ＰＤＡｓ）、または他のポータブル・デバイスとして実現される。
以下に、出願当初の特許請求の範囲に記載された発明を付記する。
［Ｃ１］
通信情報において使用するための複数の通信チャネルのうちの１つを選択することと、
前記複数の通信チャネルのうちの前記選択された１つで使用されるべき制御タイム・スロットの位置を決定することと、前記決定された位置は、前記複数の通信チャネルのうちの他の１つで使用される他の制御タイム・スロットの前記位置からオフセットされている、
前記制御タイム・スロットの間、前記複数の通信チャネルのうちの前記選択された１つで送信することおよびモニタすることのうちの少なくとも１つを実行すること
を含む、ワイヤレス端末を動作する方法。
［Ｃ２］
所定の反復時間期間における各個別の制御タイム・スロットの前記位置と、前記複数の通信チャネルにおける各個別の対応チャネルとの間の所定の関係を示す情報を記憶することをさらに含み、前記情報は、異なるチャネルのための異なる制御タイム・スロットの開始時間を示す、Ｃ１に記載の方法。
［Ｃ３］
前記異なるチャネルのうちのいくつかの前記制御タイム・スロットは、部分的にオーバーラップする、Ｃ２に記載の方法。
［Ｃ４］
前記制御タイム・スロットは、前記制御タイム・スロットが対応する前記通信チャネルに基づいた所定のパターンに従って、所定の反復時間期間内でホップする、Ｃ１に記載の方法。
［Ｃ５］
前記通信チャネルは、ＴＶ周波数帯域である、Ｃ１に記載の方法。
［Ｃ６］
前記複数の通信チャネルのうちの前記少なくともいくつかで、すでに使用されている制御タイム・スロットを識別するために、前記複数の通信チャネルのうちの少なくともいくつかをモニタすること、および
ここにおいて、すでに使用されている識別された制御タイム・スロットと異なる制御タイム・スロットを選択することを含む前記複数の通信チャネルのうちの前記選択された１つで使用されるべき制御タイム・スロットの位置を決定すること
をさらに含む、Ｃ１に記載の方法。
［Ｃ７］
前記異なるチャネルのうちのいくつかの前記制御タイム・スロットは、部分的にオーバーラップする、Ｃ６に記載の方法。
［Ｃ８］
前記複数の通信チャネルのうちの１つにおける制御タイム・スロット間の前記時間は、前記複数の通信チャネルのうちの第１および第２の１つにおける異なる制御タイム・スロットの周期性をもたらす前記複数の通信チャネルの前記第２の１つにおける制御タイム・スロット間の前記時間と異なる、Ｃ１に記載の方法。
［Ｃ９］
前記複数の通信チャネルのうちの１つで制御タイム・スロットの前記周期性を決定することと、
前記決定された周期性の機能として前記選択された通信チャネルで制御タイム・スロットのために使用されるべき周期性を選択すること
をさらに含む、Ｃ１に記載の方法。
［Ｃ１０］
通信情報において使用するための複数の通信チャネルのうちの１つを選択するための手段と、
前記複数の通信チャネルのうちの前記選択された１つで使用されるべき制御タイム・スロットの位置を決定するための手段と、前記決定された位置は、前記複数の通信チャネルのうちの他の１つで使用される他の制御タイム・スロットの前記位置からオフセットされている、
前記制御タイム・スロットの間、前記複数の通信チャネルのうちの前記選択された１つで送信することおよびモニタすることのうちの少なくとも１つを実行するための手段
を含む、ワイヤレス端末。
［Ｃ１１］
所定の反復時間期間における各個別の制御タイム・スロットの前記位置と前記複数の通信チャネルにおける各個別の対応チャネルとの間の所定の関係を示す情報を記憶するための手段をさらに含み、前記情報は、異なるチャネルのための異なる制御タイム・スロットの開始時間を示す、Ｃ１０に記載のワイヤレス端末。
［Ｃ１２］
前記異なるチャネルのうちのいくつかの前記制御タイム・スロットは、部分的にオーバーラップする、Ｃ１１に記載のワイヤレス端末。
［Ｃ１３］
前記制御タイム・スロットは、前記制御タイム・スロットが対応する前記通信チャネルに基づいた所定のパターンに従って、所定の反復時間期間内でホップする、Ｃ１０に記載のワイヤレス端末。
［Ｃ１４］
前記通信チャネルは、ＴＶ周波数帯域である、Ｃ１０に記載のワイヤレス端末。
［Ｃ１５］
ワイヤレス端末において使用するためのコンピュータ・プログラム製品であって、
少なくとも１つのコンピュータに、通信情報において使用するための複数の通信チャネルのうちの１つを選択させるためのコードと、
前記少なくとも１つのプロセッサに、前記複数の通信チャネルのうちの前記選択された１つで使用されるべき制御タイム・スロットの位置を決定させるためのコードと、前記決定された位置は、前記複数の通信チャネルのうちの他の１つで使用される他の制御タイム・スロットの前記位置からオフセットされている、
前記少なくとも１つのプロセッサに、前記制御タイム・スロットの間、前記複数の通信チャネルのうちの前記選択された１つで送信することおよびモニタすることのうちの少なくとも１つを実行させるためのコード
を含む、非一時的なコンピュータ可読媒体
を含む、コンピュータ・プログラム製品。
［Ｃ１６］
通信情報において使用するための複数の通信チャネルのうちの１つを選択する、
前記複数の通信チャネルのうちの前記選択された１つで使用されるべき制御タイム・スロットの位置を決定する、前記決定された位置は、前記複数の通信チャネルのうちの他の１つで使用される他の制御タイム・スロットの前記位置からオフセットされている、
前記制御タイム・スロットの間、前記複数の通信チャネルのうちの前記選択された１つで送信することおよびモニタすることのうちの少なくとも１つを実行する
ように構成される少なくとも１つのプロセッサと、
前記少なくとも１つのプロセッサに結合されるメモリと
を含む、ワイヤレス端末。
［Ｃ１７］
前記少なくとも１つのプロセッサは、所定の反復時間期間における各個別の制御タイム・スロットの前記位置と、前記複数の通信チャネルにおける各個別の対応チャネルとの間の所定の関係を示す情報を記憶するようにさらに構成され、前記情報は、異なるチャネルのための異なる制御タイム・スロットの開始時間を示す、Ｃ１６に記載のワイヤレス端末。
［Ｃ１８］
前記異なるチャネルのうちのいくつかの前記制御タイム・スロットは、部分的にオーバーラップする、Ｃ１７に記載のワイヤレス端末。
［Ｃ１９］
前記制御タイム・スロットは、前記制御タイム・スロットが対応する前記通信チャネルに基づいた所定のパターンに従って、所定の反復時間期間内でホップする、Ｃ１６に記載のワイヤレス端末。
［Ｃ２０］
前記通信チャネルは、ＴＶ周波数帯域である、Ｃ１６に記載のワイヤレス端末。
【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
複数の通信チャネルのうちの少なくともいくつかで、すでに使用されている制御タイム・スロットを識別するために、前記複数の通信チャネルのうちの前記少なくともいくつかをモニタすることと、
通信情報において使用するための前記複数の通信チャネルのうちの１つを選択することと、
前記複数の通信チャネルのうちの前記選択された１つで使用されるべき制御タイム・スロットの位置を決定することと、前記決定された位置は、前記複数の通信チャネルのうちの他の１つで使用される他の制御タイム・スロットの前記位置からオフセットされている、
前記制御タイム・スロットの間、前記複数の通信チャネルのうちの前記選択された１つで送信することおよびモニタすることのうちの少なくとも１つを実行すること
を含む、ワイヤレス端末を動作する方法。
【請求項２】
所定の反復時間期間における各個別の制御タイム・スロットの前記位置と、前記複数の通信チャネルにおける各個別の対応チャネルとの間の所定の関係を示す情報を記憶することをさらに含み、前記情報は、異なるチャネルのための異なる制御タイム・スロットの開始時間を示す、請求項１に記載の方法。
【請求項３】
前記異なるチャネルのうちのいくつかの前記制御タイム・スロットは、部分的にオーバーラップする、請求項２に記載の方法。
【請求項４】
前記制御タイム・スロットは、前記制御タイム・スロットが対応する前記通信チャネルに基づいた所定のパターンに従って、所定の反復時間期間内でホップする、請求項１に記載の方法。
【請求項５】
前記通信チャネルは、ＴＶ周波数帯域である、請求項１に記載の方法。
【請求項６】
すでに使用されている識別された制御タイム・スロットと異なる制御タイム・スロットを選択することを含む前記複数の通信チャネルのうちの前記選択された１つで使用されるべき制御タイム・スロットの位置を決定する、請求項１に記載の方法。
【請求項７】
前記異なるチャネルのうちのいくつかの前記制御タイム・スロットは、部分的にオーバーラップする、請求項６に記載の方法。
【請求項８】
前記複数の通信チャネルのうちの１つにおける制御タイム・スロット間の前記時間は、前記複数の通信チャネルのうちの第１および第２の１つにおける異なる制御タイム・スロットの周期性をもたらす前記複数の通信チャネルの前記第２の１つにおける制御タイム・スロット間の前記時間と異なる、請求項１に記載の方法。
【請求項９】
前記複数の通信チャネルのうちの１つで制御タイム・スロットの前記周期性を決定することと、
前記決定された周期性の機能として前記選択された通信チャネルで制御タイム・スロットのために使用されるべき周期性を選択すること
をさらに含む、請求項１に記載の方法。
【請求項１０】
複数の通信チャネルのうちの少なくともいくつかで、すでに使用されている制御タイム・スロットを識別するために、前記複数の通信チャネルのうちの前記少なくともいくつかをモニタするための手段と、
通信情報において使用するための前記複数の通信チャネルのうちの１つを選択するための手段と、
前記複数の通信チャネルのうちの前記選択された１つで使用されるべき制御タイム・スロットの位置を決定するための手段と、前記決定された位置は、前記複数の通信チャネルのうちの他の１つで使用される他の制御タイム・スロットの前記位置からオフセットされている、
前記制御タイム・スロットの間、前記複数の通信チャネルのうちの前記選択された１つで送信することおよびモニタすることのうちの少なくとも１つを実行するための手段
を含む、ワイヤレス端末。
【請求項１１】
所定の反復時間期間における各個別の制御タイム・スロットの前記位置と、前記複数の通信チャネルにおける各個別の対応チャネルとの間の所定の関係を示す情報を記憶するための手段をさらに含み、前記情報は、異なるチャネルのための異なる制御タイム・スロットの開始時間を示す、請求項１０に記載のワイヤレス端末。
【請求項１２】
前記異なるチャネルのうちのいくつかの前記制御タイム・スロットは、部分的にオーバーラップする、請求項１１に記載のワイヤレス端末。
【請求項１３】
前記制御タイム・スロットは、前記制御タイム・スロットが対応する前記通信チャネルに基づいた所定のパターンに従って、所定の反復時間期間内でホップする、請求項１０に記載のワイヤレス端末。
【請求項１４】
前記通信チャネルは、ＴＶ周波数帯域である、請求項１０に記載のワイヤレス端末。
【請求項１５】
下記を具備するコンピュータ可読記録媒体、
少なくとも１つのコンピュータに、複数の通信チャネルのうちの少なくともいくつかで、すでに使用されている制御タイム・スロットを識別するために、前記複数の通信チャネルのうちの前記少なくともいくつかをモニタさせるためのコードと、
少なくとも１つのコンピュータに、通信情報において使用するための前記複数の通信チャネルのうちの１つを選択させるためのコードと、
前記少なくとも１つのプロセッサに、前記複数の通信チャネルのうちの前記選択された１つで使用されるべき制御タイム・スロットの位置を決定させるためのコードと、前記決定された位置は、前記複数の通信チャネルのうちの他の１つで使用される他の制御タイム・スロットの前記位置からオフセットされている、
前記少なくとも１つのプロセッサに、前記制御タイム・スロットの間、前記複数の通信チャネルのうちの前記選択された１つで送信することおよびモニタすることのうちの少なくとも１つを実行させるためのコード。
【請求項１６】
複数の通信チャネルのうちの少なくともいくつかで、すでに使用されている制御タイム・スロットを識別するために、前記複数の通信チャネルのうちの前記少なくともいくつかをモニタする
通信情報において使用するための前記複数の通信チャネルのうちの１つを選択する、
前記複数の通信チャネルのうちの前記選択された１つで使用されるべき制御タイム・スロットの位置を決定する、前記決定された位置は、前記複数の通信チャネルのうちの他の１つで使用される他の制御タイム・スロットの前記位置からオフセットされている、
前記制御タイム・スロットの間、前記複数の通信チャネルのうちの前記選択された１つで送信することおよびモニタすることのうちの少なくとも１つを実行する
ように構成される少なくとも１つのプロセッサと、
前記少なくとも１つのプロセッサに結合されるメモリと
を含む、ワイヤレス端末。
【請求項１７】
前記少なくとも１つのプロセッサは、所定の反復時間期間における各個別の制御タイム・スロットの前記位置と、前記複数の通信チャネルにおける各個別の対応チャネルとの間の所定の関係を示す情報を記憶するようにさらに構成され、前記情報は、異なるチャネルのための異なる制御タイム・スロットの開始時間を示す、請求項１６に記載のワイヤレス端末。
【請求項１８】
前記異なるチャネルのうちのいくつかの前記制御タイム・スロットは、部分的にオーバーラップする、請求項１７に記載のワイヤレス端末。
【請求項１９】
前記制御タイム・スロットは、前記制御タイム・スロットが対応する前記通信チャネルに基づいた所定のパターンに従って、所定の反復時間期間内でホップする、請求項１６に記載のワイヤレス端末。
【請求項２０】
前記通信チャネルは、ＴＶ周波数帯域である、請求項１６に記載のワイヤレス端末。
【国際調査報告】
2013533695.tif 000023
2013533695.tif 000024